(57)【要約】【課題】通信端末装置から通知する制御情報量を抑えつつ、スループットが向上するスケジューリングを行なうこと。【解決手段】通信制御装置（１００）と通信を行なう通信端末装置（２００）であって、制御信号を通信制御装置から受信する受信部（２２０）と、各チャネルの受信品質を測定する受信品質測定部（２５０）と、受信した制御信号と測定した受信品質測定結果に基づいて、複数のチャネルから一部分のチャネルを選択チャネルとして選択し、選択した選択チャネルを識別する選択チャネル情報と選択した選択チャネルにおける受信品質測定結果を通信先装置へ通知する受信品質情報を生成する受信品質情報生成部（２６０）と、生成した受信品質情報を前記通信制御装置へ送信する送信部（２９０）と、を備え、受信部（２２０）は、選択チャネルに含まれる少なくとも一つのチャネルに割り付けられたデータ信号を前記通信制御装置（１００）から受信する。【選択図】  図１【特許請求の範囲】
【請求項１】
複数のチャネルを用いて通信制御装置と通信を行なう通信端末装置であって、
制御信号を前記通信制御装置から受信する受信部と、
各チャネルの受信品質を測定する受信品質測定部と、
前記受信した制御信号と測定した受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項２】
前記受信品質情報生成部は、
前記受信品質測定結果が良好な所定の数のチャネルを前記選択チャネルとして選択する選択チャネル選択部と、
前記選択チャネル情報と、前記選択チャネルにおける受信品質測定結果を示す選択チャネル測定結果とを含む受信品質情報を生成する制御情報生成部とを備えることを特徴とする請求項１記載の通信端末装置。
【請求項３】
前記受信品質情報生成部は、
前記受信品質測定結果が所定の閾値より大きいチャネルを前記選択チャネルとして選択する選択チャネル選択部と、
前記選択チャネル情報と、前記選択した選択チャネルにおける受信品質測定結果とを受信品質情報として生成する制御情報生成部とを備えることを特徴とする請求項１記載の通信端末装置。
【請求項４】
前記選択チャネル選択部は、前記受信品質測定結果が良好な順番に前記選択チャネルを選択することを特徴とする請求項２または請求項３記載の通信端末装置。
【請求項５】
複数のチャネルを用いて通信制御装置と通信を行なう通信端末装置であって、
前記複数のチャネルから一部分のチャネルを選択チャネルとして選択するチャネルの数を指定する選択可能チャネル数を前記通信制御装置から受信する受信部と、
各チャネルの受信品質を測定する受信品質測定部と、
前記複数のチャネルから前記選択可能チャネル数に指定された数の選択チャネルを選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項６】
前記受信品質情報生成部は、前記受信品質測定結果に基づいて、前記選択チャネルの数を変更することを特徴とする請求項５記載の通信端末装置。
【請求項７】
前記受信品質情報生成部は、当該通信端末装置に割り当てられたチャネル数に基づいて、前記選択チャネルの数を変更することを特徴とする請求項５または請求項６記載の通信端末装置。
【請求項８】
前記受信品質情報生成部は、送信要求するデータの優先度に基づいて、前記選択チャネルの数を変更すること特徴とする請求項５から請求項７いずれかに記載の通信端末装置。
【請求項９】
複数のチャネルを用いて通信制御装置と通信を行なう通信端末装置であって、
各通信端末装置が割り当てられたチャネルの受信品質を測定した、チャネル毎の受信品質測定結果を割り当て測定結果として受信する受信部と、
各チャネルの受信品質を測定する受信品質測定部と、
前記受信品質測定部が測定した受信品質測定結果と前記割り当て測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１０】
前記受信品質情報生成部は、各チャネルについて、前記測定した受信品質測定結果と前記割り当て測定結果とを比較して受信品質差を算出する受信品質差算出部と、算出した受信品質差が所定の閾値より大きいチャネルを前記選択チャネルとして選択する選択チャネル選択部を備えることを特徴とする請求項９記載の通信端末装置。
【請求項１１】
前記受信部は、前記通信制御装置が受信品質情報に基づいて割り当て変更候補となるチャネルを識別する割り当て変更候補チャネル番号と、前記割り当て変更候補チャネルにおける割り当て測定結果とを受信し、
前記受信品質情報生成部は、自己が測定した受信品質測定結果と、前記割り当て変更候補チャネルにおける前記割り当て測定結果とを比較し、比較結果に基づいて、前記選択チャネルを選択することを特徴とする請求項９記載の通信端末装置。
【請求項１２】
複数のチャネルを用いて通信制御装置と通信を行なう通信端末装置であって、
複数のチャネルそれぞれについて、変調方式と符号化率との少なくとも一方を特定する変調パラメータを特定する変調パラメータ情報を受信する受信部と、
各チャネルの受信品質を測定する受信品質測定部と、
前記受信した変調パラメータ情報と前記受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１３】
複数のチャネルを用いて通信制御装置と通信を行なう通信端末装置であって、
各チャネルの受信品質を測定する受信品質測定部と、
前記受信品質測定結果に基づいて、前記複数のチャネルから一部分のチャネルを選択チャネルとして選択するチャネルの数を指定する選択可能チャネル数を決定し、決定した選択可能チャネル数の選択チャネルを前記受信品質情報に基づいて前記複数のチャネルから選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１４】
複数のチャネルを用いて通信制御装置と通信を行なう通信端末装置であって、
各チャネルの受信品質を測定する受信品質測定部と、
自己に割り当てられたチャネル数に基づいて、前記複数のチャネルから一部分のチャネルを選択チャネルとして選択するチャネルの数を指定する選択可能チャネル数を決定し、決定した選択可能チャネル数の選択チャネルを前記受信品質情報に基づいて前記複数のチャネルから選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１５】
複数のチャネルを用いて通信制御装置と通信を行なう通信端末装置であって、
各チャネルの受信品質を測定する受信品質測定部と、
送信要求するデータの優先度に基づいて、前記複数のチャネルから一部分のチャネルを選択チャネルとして選択するチャネルの数を指定する選択可能チャネル数を決定し、決定した選択可能チャネル数の選択チャネルを前記受信品質情報に基づいて前記複数のチャネルから選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１６】
前記受信品質情報生成部は、複数のチャネルの受信品質測定結果を平均した平均測定結果を算出し、算出した平均測定結果をさらに含む受信品質情報を生成することを特徴とする請求項１から請求項１５のいずれかに記載の通信端末装置。
【請求項１７】
前記受信品質情報生成部は、平均測定結果として、選択チャネルとして選択されなかったチャネルにおける受信品質測定結果を平均した平均値、または、複数のチャネルすべての受信品質測定結果を平均した平均値とのいずれかを含む受信品質情報を生成することを特徴とする請求項１から請求項１５のいずれかに記載の通信端末装置。
【請求項１８】
前記受信品質情報生成部は、前記受信品質測定結果に基づいて、前記複数のチャネルから受信品質の悪い一部分のチャネルを割り当て拒否チャネルとして選択し、選択した割り当て拒否チャネルを識別する割り当て拒否チャネル情報を受信品質情報へ含めることを特徴とする請求項１から請求項１５のいずれかに記載の通信端末装置。
【請求項１９】
複数のチャネルを用いて通信端末装置と通信を行なう通信制御装置であって、
前記複数のチャネルから一部分のチャネルを選択した選択チャネルを識別する選択チャネル情報と選択した選択チャネルの受信品質を通知する受信品質情報を前記通信端末装置から受信する受信部と、
前記受信品質情報に基づいて、前記通信端末装置を送信先とする送信データを割り当てるチャネルを決定するスケジューラ部と、
前記通信端末装置を送信先とする送信データを送信する送信部と、を備えることと特徴とする通信制御装置。
【請求項２０】
前記受信部は、複数の通信端末装置それぞれから、前記選択チャネル情報と、前記選択チャネルにおける受信品質測定結果を示す選択チャネル測定結果と含む受信品質情報を受信し、
前記スケジューラ部は、複数の通信端末装置それぞれから送信された選択チャネル情報と選択チャネル測定結果に基づいて、チャネル毎に受信品質測定結果が良好な通信端末装置を選択し、前記通信端末装置を送信先とする送信データを割り当てるチャネルを決定し、
前記送信部は、チャネル毎に選択した通信端末装置を送信先とする送信データを送信することを特徴とする請求項１９記載の通信制御装置。
【請求項２１】
複数のチャネルを用いて通信端末装置と通信を行なう通信制御装置であって、
前記通信端末装置が前記複数のチャネルから一部分のチャネルを選択チャネルとして選択するチャネルの数を指定する選択可能チャネル数を前記通信端末装置へ送信する送信部と、
前記選択可能チャネル数に基づいて、前記複数のチャネルから一部分のチャネルを選択した選択チャネルを識別する選択チャネル情報と選択した選択チャネルの受信品質を通知する受信品質情報を前記通信端末装置から受信する受信部と、
前記受信品質情報に基づいて、前記通信端末装置を送信先とする送信データを割り当てるチャネルを決定するスケジューラ部と、を備え、
前記送信部は、チャネル毎に選択した通信端末装置を送信先とする送信データを送信することを特徴とする通信制御装置。
【請求項２２】
複数のチャネルを用いて通信端末装置と通信を行なう通信制御装置であって、
前記複数のチャネルから一部分のチャネルを選択した選択チャネルを識別する選択チャネル情報と選択した選択チャネルの受信品質を通知する受信品質情報を前記通信端末装置から受信する受信部と、
前記受信品質情報に基づいて、前記通信端末装置を送信先とする送信データを割り当てるチャネルを決定するスケジューラ部と、
前記通信端末装置を送信先とする送信データを送信する送信部と、を備え、
前記スケジューラ部は、前記受信品質情報に基づいて各チャネルへ通信端末装置を割り当て、複数のチャネルそれぞれについて、各チャネルへ割り当てた通信端末装置が測定した受信品質測定結果を用いて割り当て測定結果を生成し、
前記送信部は、生成した割り当て測定結果を各通信端末装置へ送信することを特徴とする通信制御装置。
【請求項２３】
前記スケジューラ部が生成した割り当て測定結果に基づいて、所定の条件より低いチャネルを割り当て変更候補チャネルとして選択する割り当て変更候補チャネル選択部を、更に備え、
前記送信部は、前記割り当て変更候補チャネルを識別する割り当て変更候補チャネル情報と、前記割り当て変更候補チャネルにおける前記割り当て測定結果とを各通信端末装置へ送信することを特徴とする請求項２２記載の通信制御装置。
【請求項２４】
複数のチャネルを用いて通信端末装置と通信を行なう通信制御装置であって、
送信データの優先度を判定し、判定した優先度に応じて送信データを送信先とする通信端末装置へ割り当てる選択可能チャネル数を決定するスケジューラ部と、
前記決定した選択可能チャネル数を各通信端末装置へ送信する送信部と、
前記選択可能チャネル数に基づいて、前記複数のチャネルから一部分のチャネルを選択した選択チャネルを識別する選択チャネル情報と選択した選択チャネルの受信品質を通知する受信品質情報を前記通信端末装置から受信する受信部と、を備え、
前記スケジューラ部は、前記受信品質情報に基づいて、前記通信端末装置を送信先とする送信データを割り当てるチャネルを決定し、
前記送信部は、チャネル毎に選択した通信端末装置を送信先とする送信データを送信することを特徴とする通信制御装置。
【請求項２５】
前記スケジューラ部によって各通信端末装置へ割り当てられたチャネルの数と、各通信端末装置から通知された選択チャネルの数とに基づいて、各通信端末装置の選択可能チャネル数を更新する統計処理部を、さらに備え、
前記送信部は、更新された選択可能チャネル数を各通信端末装置へ送信することを特徴とする請求項２４記載の通信制御装置。
【請求項２６】
前記受信部は、複数の通信端末装置それぞれから、前記選択チャネル情報と、前記選択チャネルにおける受信品質測定結果と、各通信端末装置の複数の受信品質測定結果を平均した平均測定結果とを含む受信品質情報を受信し、
前記スケジューラ部は、前記平均測定結果に基づいて、各通信端末装置が選択チャネルに選択しなかったチャネルへ各通信端末装置を割り当てることを特徴とする請求項１９から請求項２５のいずれかに記載の通信制御装置。
【請求項２７】
前記受信部は、複数の通信端末装置それぞれから、前記受信品質情報を受信し、
前記スケジューラ部は、各通信端末装置が選択チャネルに選択しなかったチャネルへ前回割り当てた通信端末装置を割り当てることを特徴とする請求項１９から請求項２５のいずれかに記載の通信制御装置。
【請求項２８】
前記受信部は、複数の通信端末装置それぞれから、前記受信品質情報を受信し、
前記スケジューラ部は、ラウンドロビン法を用いて、各通信端末装置が選択チャネルに選択しなかったチャネルへ各通信端末装置を割り当てることを特徴とする請求項１９から請求項２５のいずれかに記載の通信制御装置。
【請求項２９】
前記通信端末装置から受信した受信品質情報に基づいて、変調方式と符号化率との少なくとも一方を特定する変調パラメータを、複数の周波数チャネルそれぞれへ選択する変調パラメータ選択部を、更に備えることを特徴とする請求項１９から請求項２５のいずれかに記載の通信制御装置。
【請求項３０】
前記スケジューラ部は、前記平均測定結果に基づいて、各通信端末装置が選択チャネルに選択しなかったチャネルへ各通信端末装置を割り当て、
前記平均測定結果に基づいて、各通信端末装置が選択チャネルに選択しなかったチャネルへ変調パラメータを選択する変調パラメータ選択部を、更に備えることを特徴とする請求項２６記載の通信制御装置。
【請求項３１】
前記受信部は、通信端末装置が割り当てを拒否する割り当て拒否チャネルを識別する割当拒否チャネル情報を含む受信品質情報を受信し、
前記スケジューラ部は、前記割り当て拒否チャネル情報を通知した通信端末装置を前記割り当て拒否チャネル情報が示すチャネルへ割り当てないことを特徴とする請求項１９から請求項２５のいずれかに記載の通信制御装置。
【請求項３２】
前記スケジューラ部は、通信端末装置から選択チャネルとして選択されなかったチャネルを複数のサブチャネルに分割し、分割した複数のサブチャネルへ複数の通信端末装置を割り当てることを特徴とする請求項１９から請求項２５のいずれかに記載の通信制御装置。
【請求項３３】
複数のチャネルを用いて通信制御装置と通信端末装置との間で通信を行なう通信システムであって、
前記通信端末装置は、
制御信号を前記通信制御装置から受信する端末側受信部と、
各チャネルの受信品質を測定する受信品質測定部と、
前記受信した制御信号と測定した受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する端末側送信部と、を備え、
前記通信制御装置は、
前記選択チャネルにおける受信品質情報を前記通信端末装置から受信する制御側受信部と、
前記受信品質情報に基づいて、前記選択チャネルから少なくとも一つのチャネルを選択するスケジューラ部と、
前記選択したチャネルへ前記通信端末装置を送信先とする送信データを割り当てて送信する制御側送信部と、を備えることを特徴とする通信システム。
【請求項３４】
複数のチャネルを用いて通信制御装置と通信を行なう通信端末装置の通信方法であって、
制御信号を前記通信制御装置から受信し、
各チャネルの受信品質を測定し、
前記受信した制御信号と測定した受信品質測定結果とに基づいて、前記複数のチャネルから一部分のチャネルを選択チャネルとして選択し、
選択した選択チャネルを識別する選択チャネル情報と選択した選択チャネルにおける受信品質測定結果とを前記通信制御装置へ通知する受信品質情報を生成し、
生成した受信品質情報を前記通信制御装置へ送信することを特徴とする通信方法。
【請求項３５】
複数のチャネルを用いて通信端末装置と通信を行なう通信制御装置の通信方法であって、
前記複数のチャネルから一部分のチャネルを選択した選択チャネルを識別する選択チャネル情報と選択した選択チャネルの受信品質を通知する受信品質情報を前記通信端末装置から受信し、
前記受信品質情報に基づいて、前記通信端末装置を送信先とする送信データを割り当てるチャネルを決定し、
選択したチャネルへ前記通信端末装置を送信先とする送信データを送信することと特徴とする通信方法。
【請求項３６】
複数のチャネルを用いて通信制御装置と通信端末装置との間で通信を行なう通信方法であって、
前記通信端末装置は、
制御信号を前記通信制御装置から受信し、
各チャネルの受信品質を測定し、
前記受信した制御信号と測定した受信品質測定結果とに基づいて、前記複数のチャネルから一部分のチャネルを選択チャネルとして選択し、
選択した選択チャネルを識別する選択チャネル情報と選択した選択チャネルにおける受信品質測定結果とを前記通信制御装置へ通知する受信品質情報を生成し、
生成した受信品質情報を前記通信制御装置へ送信し、
前記通信制御装置は、
前記選択チャネルにおける受信品質情報を前記通信端末装置から受信し、
前記受信品質情報に基づいて、前記通信端末装置を送信先とする送信データを割り当てるチャネルを決定し、
選択したチャネルへ前記通信端末装置を送信先とする送信データを送信することを特徴とする通信方法。
【発明の詳細な説明】
【技術分野】
【０００１】
本発明は、複数の周波数チャネルを用いて通信を行なうシステムにおいて、通信端末装置から通信制御装置へ受信品質情報を通知する技術、並びに、通信制御装置が通知された受信品質情報を用いて各周波数チャネルへ通信端末装置を割り当てる技術に関する。
【背景技術】
【０００２】
現在、移動通信システムにおいてはデータ通信の需要が高まっており、データ通信の増加に伴い、高い周波数利用効率が得られる様々な技術が提案されている。【０００３】
周波数利用効率を高める可能性を持った技術の一つにＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）という技術がある。これは、セルで構成される通信エリアおいて、すべてのセルにおいて同じ周波数を用いて通信を行ない、通信する際の変調方式がＯＦＤＭであり、アクセス方式がＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）を使用しているという技術である。孤立セルでは、セルエリアと共通の無線インターフェースを持ちながら、より高速なデータ通信が実現できる通信方式である。【０００４】
ＯＦＤＭＡシステムのスケジューリングとして、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）移動通信システムにおける下り高速パケット伝送方式（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）では、通信端末装置がすべてのサブキャリアにおける下り回線状態を示す情報であるＣＱＩ（Ｃｈａｎｎｅｌ  Ｑｕａｌｉｔｙ  Ｉｎｄｉｃａｔｏｒ）を基地局装置に報告し、基地局装置は各通信端末装置から報告されたすべてのサブキャリアのＣＱＩに基づいて、パケットのスケジューリングを行なうという方法が提案されている（非特許文献１）。【０００５】
同様に、複数の副搬送波を用いるＯＦＤＭシステムにおける送信データのスケジューリングにおいて、通信端末装置で下りの各チャネル状態（周波数特性）を評価し、上りのフィードバックチャネルを用いて各チャネル状態を量子化した情報を基地局装置に報告し、基地局装置は報告された情報に基づいて各通信端末装置に割り振る副搬送波を決定するという発明が公開されている（特許文献１）。
【特許文献１】特開特開２００５−１３０４９１号公報
【非特許文献１】“Ｃｏｍｍｅｎｔｓ  ｏｎ  ｆｒｅｑｕｅｎｃｙ  ｓｃｈｅｄｕｌｉｎｇ  ａｎｄｊｏｉｎｔ  ｐｏｗｅｒ  ａｎｄ  ｒａｔｅ  ｏｐｔｉｍｉｚａｔｉｏｎ  ｆｏｒ  ＯＦＤＭ”、  ３ＧＰＰ、  ＴＳＧ  ＲＡＮ  ＷＧ１  Ｍｅｅｔｉｎｇ  ＃２９、  Ｒ−０２−１３２１、２００２年１１月。
【発明の開示】
【発明が解決しようとする課題】
【０００６】
しかしながら、ＯＦＤＭＡのように、複数の周波数チャネルへ異なる通信端末を割り当てるシステムにおいて、送信データのスケジューリングを行なう場合、基地局は、割り当てを変更する周期毎にすべての通信端末から通知されたすべての周波数チャネルにおける受信品質を比較することが必要である。つまり、通信端末は全ての周波数チャネルにおける受信品質の測定結果を、周期的に基地局に通知する。このため、上りリンクの制御情報量が増加し、オーバヘッドが大きくなるという問題が生じる。また、基地局は、すべての通信端末から通知されたすべての周波数チャネルにおける受信品質に基づいて送信データのスケジューリングを行なっていた。【０００７】
本発明は、このような事情に鑑みてなされたものであり、通信端末装置から通知する制御情報量を抑えつつ、スループットが向上するスケジューリングを行なう技術を提供するものである。
【課題を解決するための手段】
【０００８】
（１）上記課題を解決するために、本発明に係る通信端末装置の一態様は、複数のチャネルを用いて通信制御装置と通信を行なう通信端末装置であって、制御信号を前記通信制御装置から受信する受信部と、各チャネルの受信品質を測定する受信品質測定部と、前記受信した制御信号と測定した受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、生成した受信品質情報を前記通信制御装置へ送信する送信部と、を備える。【０００９】
このように、前記通信端末装置の一態様によれば、通信端末装置は、受信品質測定結果に基づいて全周波数チャネルから一部分の周波数チャネルを選択し、選択した周波数チャネルの受信品質情報を通信制御装置へ通知することにより、全周波数チャネルの受信品質情報を通知する場合に比べ、制御情報量を抑制することが可能となる。これにより、制御情報通知によるオーバヘッドを減少させることができる。
【００１０】
（２）また本発明に係る通信端末装置の一態様において、前記受信品質情報生成部は、前記受信品質測定結果が良好な所定の数のチャネルを前記選択チャネルとして選択する選択チャネル選択部と、前記選択チャネル情報と、前記選択チャネルにおける受信品質測定結果を示す選択チャネル測定結果とを含む受信品質情報を生成する制御情報生成部とを備える。【００１１】
このように、通信端末装置は、受信品質の良好な周波数チャネルを通信制御装置へ通知することが可能になる。これにより、通信制御装置において通信端末装置が選択した周波数チャネルへ割り当てを行なうことにより、受信品質の良好な周波数チャネルへの割り当てができる。
【００１２】
（３）さらに、本発明に係る通信端末装置の一態様において、前記受信品質情報生成部は、前記受信品質測定結果が所定の閾値より大きいチャネルを前記選択チャネルとして選択する選択チャネル選択部と、前記選択チャネル情報と、前記選択した選択チャネルにおける受信品質測定結果とを受信品質情報として生成する制御情報生成部とを備える。【００１３】
このように、前記受信品質情報生成部は、複数のチャネルから受信品質測定結果が閾値より大きいチャネルを選択チャネルとして選択することができる。これにより、所定の受信品質を備えるチャネルを選択チャネルとして通信制御装置へ通知することができる。
【００１４】
（４）本発明に係る通信端末装置の一態様において、前記選択チャネル選択部は、前記受信品質測定結果が良好な順番に前記選択チャネルを選択することを特徴とする。【００１５】
このように、受信品質の良好な順番に選択した選択チャネルを通信制御装置へ通知することができる。【００１６】
（５）また、本発明に係る通信端末装置の別の一態様は、複数のチャネルを用いて通信制御装置と通信を行なう通信端末装置であって、前記複数のチャネルから一部分のチャネルを選択チャネルとして選択するチャネルの数を指定する選択可能チャネル数を前記通信制御装置から受信する受信部と、各チャネルの受信品質を測定する受信品質測定部と、前記複数のチャネルから前記選択可能チャネル数に指定された数の選択チャネルを選択し、選択した選択チャネルを識別する選択チャネル情報と選択した選択チャネルにおける受信品質測定結果とを前記通信制御装置へ通知する受信品質情報を生成する受信品質情報生成部と、生成した受信品質情報を前記通信制御装置へ送信する送信部と、を備える。
【００１７】
このように、前記通信端末装置は、選択可能チャネル数と受信品質測定結果とに基づいて全周波数チャネルから一部分の周波数チャネルを選択し、選択した周波数チャネルの受信品質情報を通信制御装置へ通知することにより、制御情報量を抑制し、制御情報通知によるオーバヘッドを減少させることができる。また、通信制御装置は、通信状況に基づいて通信可能チャネル数を通知することにより、通信制御装置側で通信端末装置からの制御情報の量を調整することができる。
【００１８】
（６）本発明に係る通信端末装置の別の一態様において、前記受信品質情報生成部は、前記受信品質測定結果に基づいて、前記選択チャネルの数を変更する。【００１９】
このように、前記受信品質情報生成部は、測定した受信品質測定結果に基づいて通信制御装置から通知された選択可能チャネル数の範囲内で選択チャネルの数を変更することができる。これにより、受信品質測定結果に応じて選択する選択チャネルの数を変更し、制御情報量を調整することができる。例えば、受信品質測定結果が悪い場合に制御情報量を減らすことになり、効率的な受信品質情報の通知が可能となる。
【００２０】
（７）本発明に係る通信端末装置の別の一態様において、前記受信品質情報生成部は、当該通信端末装置に割り当てられたチャネル数に基づいて、前記選択チャネルの数を変更する。【００２１】
このように、前記受信品質情報生成部は、自己の通信端末装置へ割り当てられたチャネルの数と測定した受信品質測定結果に基づいて通信制御装置から通知された選択可能チャネル数の範囲内で変更することができる。自己の通信端末装置へ割り当てられたチャネルの数は、制御信号に含まれる制御情報に基づいて判断することができる。これにより、通信制御装置のチャネル割り当て状況に応じて選択チャネルを選択する選択チャネルの数を選択可能チャネル数の範囲内で変更し、制御情報量を調整することができる。
【００２２】
（８）本発明に係る通信端末装置の別の一態様において、前記受信品質情報生成部は、送信要求するデータの優先度に基づいて、前記選択チャネルの数を変更する。【００２３】
このように、前記受信品質情報生成部は、データの優先度に基づいて、前記選択チャネルの数を変更することができる。これにより、データの優先度に応じて選択チャネルを選択する数を選択可能チャネル数の範囲内で変更し、制御情報量を調整することができる。
【００２４】
（９）また、本発明に係る通信端末装置のさらに別の一態様は、複数のチャネルを用いて通信制御装置と通信を行なう通信端末装置であって、各通信端末装置が割り当てられたチャネルの受信品質を測定した、チャネル毎の受信品質測定結果を割り当て測定結果として受信する受信部と、各チャネルの受信品質を測定する受信品質測定部と、前記受信品質測定部が測定した受信品質測定結果と前記割り当て測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、生成した受信品質情報を前記通信制御装置へ送信する送信部と、を備える。
【００２５】
このように、前記通信端末装置は、各チャネルに割り当てられた通信端末装置が測定した受信品質測定結果と自己が測定した受信品質測定結果に基づいて全周波数チャネルから一部分の周波数チャネルを選択し、選択した周波数チャネルの受信品質情報を通信制御装置へ通知することにより、制御情報量を抑制することが可能となり、制御情報通知によるオーバヘッドを減少させることができる。【００２６】
（１０）また、本発明に係る通信端末装置のさらに別の一態様において、前記受信品質情報生成部は、各チャネルについて、前記測定した受信品質測定結果と前記割り当て測定結果とを比較して受信品質差を算出する受信品質差算出部と、算出した受信品質差が所定の閾値より大きいチャネルを前記選択チャネルとして選択する選択チャネル選択部を備える。【００２７】
このように、自己が測定した受信品質測定結果と前記割り当て測定結果とから算出する受信品質差に基づいて、選択チャネルを選択することができる。これにより、チャネルに割り当てられた通信端末装置が測定した受信品質測定結果と相対的に比較して選択チャネルを選択することができる。【００２８】
（１１）また、本発明に係る通信端末装置のさらに別の一態様において、前記受信部は、前記通信制御装置が受信品質情報に基づいて割り当て変更候補となるチャネルを識別する割り当て変更候補チャネル番号と、前記割り当て変更候補チャネルにおける割り当て測定結果とを受信し、前記受信品質情報生成部は、自己が測定した受信品質測定結果と、前記割り当て変更候補チャネルにおける前記割り当て測定結果とを比較し、比較結果に基づいて、前記選択チャネルを選択する。【００２９】
このように、前記受信品質生成部は、通信制御装置から通知された割り当て変更候補チャネルの中から割り当てを希望する周波数チャネルを選択することができる。これにより、割り当て変更候補チャネルの受信品質測定結果と自己の通信端末装置の受信品質測定結果と比較することが可能となり、効率的なスケジューリングができる。
【００３０】
（１２）また、本発明に係る通信端末装置のさらに別の一態様は、複数のチャネルを用いて通信制御装置と通信を行なう通信端末装置であって、複数のチャネルそれぞれについて、変調方式と符号化率との少なくとも一方を特定する変調パラメータを特定する変調パラメータ情報を受信する受信部と、各チャネルの受信品質を測定する受信品質測定部と、前記受信した変調パラメータ情報と前記受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、生成した受信品質情報を前記通信制御装置へ送信する送信部と、を備える。【００３１】
このように、前記通信端末装置は、前回各チャネルで用いられた変調パラメータと自己が測定した受信品質測定結果に基づいて全周波数チャネルから一部分の周波数チャネルを選択し、選択した周波数チャネルの受信品質情報を通信制御装置へ通知することにより、制御情報量を抑制することが可能となり、制御情報通知によるオーバヘッドを減少させることができる。【００３２】
（１３）また、本発明に係る通信端末装置のさらに別の一態様は、複数のチャネルを用いて通信制御装置と通信を行なう通信端末装置であって、各チャネルの受信品質を測定する受信品質測定部と、前記受信品質測定結果に基づいて、前記複数のチャネルから一部分のチャネルを選択チャネルとして選択するチャネルの数を指定する選択可能チャネル数を決定し、決定した選択可能チャネル数の選択チャネルを前記受信品質情報に基づいて前記複数のチャネルから選択し、選択した選択チャネルを識別する選択チャネル情報と選択した選択チャネルにおける受信品質測定結果とを前記通信制御装置へ通知する受信品質情報を生成する受信品質情報生成部と、生成した受信品質情報を前記通信制御装置へ送信する送信部と、を備える。【００３３】
このように、前記通信端末装置は、測定した受信品質測定結果に基づいて選択可能チャネル数の範囲内で選択チャネルの数を変更（制御）し、変更した選択チャネルの数と受信品質測定結果とに基づいて全周波数チャネルから一部分の周波数チャネルを選択し、選択した周波数チャネルの受信品質情報を通信制御装置へ通知することにより、制御情報量を抑制することが可能となり、制御情報通知によるオーバヘッドを減少させることができる。【００３４】
（１４）また、本発明に係る通信端末装置のさらに別の一態様は、複数のチャネルを用いて通信制御装置と通信を行なう通信端末装置であって、各チャネルの受信品質を測定する受信品質測定部と、自己に割り当てられたチャネル数に基づいて、前記複数のチャネルから一部分のチャネルを選択チャネルとして選択するチャネルの数を指定する選択可能チャネル数を決定し、決定した選択可能チャネル数の選択チャネルを前記受信品質情報に基づいて前記複数のチャネルから選択し、選択した選択チャネルを識別する選択チャネル情報と選択した選択チャネルにおける受信品質測定結果とを前記通信制御装置へ通知する受信品質情報を生成する受信品質情報生成部と、生成した受信品質情報を前記通信制御装置へ送信する送信部と、を備える。【００３５】
このように、前記通信端末装置は、自己の通信端末装置へ割り当てられたチャネルの数受信品質測定結果に基づいて全周波数チャネルから一部分の周波数チャネルを選択し、選択した周波数チャネルの受信品質情報を通信制御装置へ通知することにより、制御情報量を抑制することが可能となり、制御情報通知によるオーバヘッドを減少させることができる。自己の通信端末装置へ割り当てられたチャネルの数は、通信端末装置が通信制御装置から受信する制御信号に含まれる制御情報に基づいて判断することができる。これにより、通信制御装置のチャネル割り当て状況に応じて選択チャネルを選択する選択チャネルの数を変更し、制御情報量を調整することができる。【００３６】
（１５）また、本発明に係る通信端末装置のさらに別の一態様は、複数のチャネルを用いて通信制御装置と通信を行なう通信端末装置であって、各チャネルの受信品質を測定する受信品質測定部と、送信要求するデータの優先度に基づいて、前記複数のチャネルから一部分のチャネルを選択チャネルとして選択するチャネルの数を指定する選択可能チャネル数を決定し、決定した選択可能チャネル数の選択チャネルを前記受信品質情報に基づいて前記複数のチャネルから選択し、選択した選択チャネルを識別する選択チャネル情報と選択した選択チャネルにおける受信品質測定結果とを前記通信制御装置へ通知する受信品質情報を生成する受信品質情報生成部と、生成した受信品質情報を前記通信制御装置へ送信する送信部と、を備える。【００３７】
このように、前記受信品質情報生成部は、データの優先度に基づいて、前記選択チャネルの数を決定することができる。通信端末装置は、決定した選択チャネルの数と受信品質測定結果とに基づいて全周波数チャネルから一部分の周波数チャネルを選択し、選択した周波数チャネルの受信品質情報を通信制御装置へ通知することにより、制御情報量を抑制することが可能となり、制御情報通知によるオーバヘッドを減少させることができる。これにより、データの優先度に応じて選択チャネルを選択する数を変更し、制御情報量を調整することができる。【００３８】
（１６）また、本発明に係る通信端末装置の一態様において、前記受信品質情報生成部は、複数のチャネルの受信品質測定結果を平均した平均測定結果を算出し、算出した平均測定結果をさらに含む受信品質情報を生成する。【００３９】
このように、通信端末装置が平均測定結果を通信制御装置へ通知することにより、通信制御装置は、通信端末装置の受信状況を把握することが可能となり、選択チャネルとして選択されなかったチャネルの割り当てに平均測定結果を用いることができる。【００４０】
（１７）また、本発明に係る通信端末装置の一態様において、前記受信品質情報生成部は、平均測定結果として、選択チャネルとして選択されなかったチャネルにおける受信品質測定結果を平均した平均値、または、複数のチャネルすべての受信品質測定結果を平均した平均値とのいずれかを含む受信品質情報を生成する。【００４１】
このように、前記受信品質情報生成部は、平均測定結果として、全チャネルあるいは選択チャネルの受信品質測定結果の平均値を用いることができる。【００４２】
（１８）また、本発明に係る通信端末装置の一態様において、前記受信品質情報生成部は、前記受信品質測定結果に基づいて、前記複数のチャネルから受信品質の悪い一部分のチャネルを割り当て拒否チャネルとして選択し、選択した割り当て拒否チャネルを識別する割り当て拒否チャネル情報を受信品質情報へ含める。【００４３】
このように、前記受信品質情報生成部は、割り当てを拒否する割り当てチャネルを通信制御装置へ通知することができる。これにより、受信品質の劣悪なチャネルへ割り当てられることを回避することができる。【００４４】
（１９）本発明に係る通信制御装置の一態様は、複数のチャネルを用いて通信端末装置と通信を行なう通信制御装置であって、前記複数のチャネルから一部分のチャネルを選択した選択チャネルを識別する選択チャネル情報と選択した選択チャネルの受信品質を通知する受信品質情報を前記通信端末装置から受信する受信部と、前記受信品質情報に基づいて、前記通信端末装置を送信先とする送信データを割り当てるチャネルを決定するスケジューラ部と、前記通信端末装置を送信先とする送信データを送信する送信部と、を備える。【００４５】
このように、本発明に係る通信制御装置の一態様によれば、通信端末装置が選択した一部分の周波数チャネルの受信品質情報を取得することになるため、全周波数チャネルの受信品質情報を通知する場合に比べ、制御情報量を抑制することが可能となり、制御情報通知によるオーバヘッドを減少させることができる。また、通信制御装置において通信端末装置が選択した周波数チャネルへ割り当てを行なうことにより、受信品質の良好な周波数チャネルへの割り当てを可能とする。【００４６】
（２０）また、本発明に係る通信制御装置の一態様において、前記受信部は、複数の通信端末装置それぞれから、前記選択チャネル情報と、前記選択チャネルにおける受信品質測定結果を示す選択チャネル測定結果と含む受信品質情報を受信し、前記スケジューラ部は、複数の通信端末装置それぞれから送信された選択チャネル情報と選択チャネル測定結果に基づいて、チャネル毎に受信品質測定結果が良好な通信端末装置を選択し、前記通信端末装置を送信先とする送信データを割り当てるチャネルを決定し、前記送信部は、チャネル毎に選択した通信端末装置を送信先とする送信データを送信する。【００４７】
このように、前記スケジューラ部は、通信端末装置から通知された受信品質情報に基づいて、受信品質が良好な通信端末装置をチャネルへスケジューリングすることができる。【００４８】
（２１）また、本発明に係る通信制御装置の別の一態様は、複数のチャネルを用いて通信端末装置と通信を行なう通信制御装置であって、前記通信端末装置が前記複数のチャネルから一部分のチャネルを選択チャネルとして選択するチャネルの数を指定する選択可能チャネル数を前記通信端末装置へ送信する送信部と、前記選択可能チャネル数に基づいて、前記複数のチャネルから一部分のチャネルを選択した選択チャネルを識別する選択チャネル情報と選択した選択チャネルの受信品質を通知する受信品質情報を前記通信端末装置から受信する受信部と、前記受信品質情報に基づいて、前記通信端末装置を送信先とする送信データを割り当てるチャネルを決定するスケジューラ部と、を備え、前記送信部は、チャネル毎に選択した通信端末装置を送信先とする送信データを送信する。【００４９】
このように、前記通信制御装置は、通信端末装置が選択した選択可能チャネル数の周波数チャネルの受信品質情報を取得することになるため、全周波数チャネルの受信品質情報を通知する場合に比べ、制御情報量を抑制することが可能となり、制御情報通知によるオーバヘッドを減少させることができる。また、通信制御装置において通信端末装置が選択した周波数チャネルへ割り当てを行なうことにより、受信品質の良好な周波数チャネルへの割り当てを可能とする。通信制御装置は、選択可能チャネル数を通信端末装置へ通知することにより、通信状況にあわせて通信端末装置から通知される受信品質情報量を調整することができる。【００５０】
（２２）本発明に係る通信制御装置のさらに別の一態様は、複数のチャネルを用いて通信端末装置と通信を行なう通信制御装置であって、前記複数のチャネルから一部分のチャネルを選択した選択チャネルを識別する選択チャネル情報と選択した選択チャネルの受信品質を通知する受信品質情報を前記通信端末装置から受信する受信部と、前記受信品質情報に基づいて、前記通信端末装置を送信先とする送信データを割り当てるチャネルを決定するスケジューラ部と、前記通信端末装置を送信先とする送信データを送信する送信部と、を備え、前記スケジューラ部は、前記受信品質情報に基づいて各チャネルへ通信端末装置を割り当て、複数のチャネルそれぞれについて、各チャネルへ割り当てた通信端末装置が測定した受信品質測定結果を用いて割り当て測定結果を生成し、前記送信部は、生成した割り当て測定結果を各通信端末装置へ送信する。【００５１】
このように、本発明に係る通信制御装置のさらに別の一態様によれば、前記スケジューラ部は、割り当てた通信端末装置が測定した受信品質測定結果を用いて、各チャネルの受信品質測定結果を示す割り当て測定結果を生成することができる。これにより、通信制御装置は、各チャネルに割り当てられた通信端末装置測定した各チャネルの受信品質測定結果を各通信端末装置へ通知することができる。また、通信端末装置は、割り当て測定結果と自己が測定した受信品質測定結果とを比較して選択チャネルを選択することができる。従って、通信制御装置は、通信端末装置が前記割り当て測定結果に基づいて選択した一部分の周波数チャネルの受信品質情報を取得することになるため、全周波数チャネルの受信品質情報を通知する場合に比べ、制御情報量を抑制することが可能となり、制御情報通知によるオーバヘッドを減少させることができる。【００５２】
（２３）また、本発明に係る通信制御装置のさらに別の一態様において、前記スケジューラ部が生成した割り当て測定結果に基づいて、所定の条件より低いチャネルを割り当て変更候補チャネルとして選択する割り当て変更候補チャネル選択部を、更に備え、前記送信部は、前記割り当て変更候補チャネルを識別する割り当て変更候補チャネル情報と、前記割り当て変更候補チャネルにおける前記割り当て測定結果とを各通信端末装置へ送信する。【００５３】
このように、前記スケジューラ部は、前記割り当て変更候補チャネルを選択し、通信端末装置へ通知することができる。これにより、通信端末装置は、割り当て変更候補チャネルと比較して、自己の受信品質想定結果が良好なチャネルを選択チャネルとして選択することが可能になり、通信制御装置は、割り当て変更候補チャネルの受信品質測定結果よりも良好な受信品質を有するチャネルを通信端末装置から受信することが可能になる。【００５４】
（２４）また、本発明に係る通信制御装置のさらに別の一態様は、複数のチャネルを用いて通信端末装置と通信を行なう通信制御装置であって、送信データの優先度を判定し、判定した優先度に応じて送信データを送信先とする通信端末装置へ割り当てる選択可能チャネル数を決定するスケジューラ部と、前記決定した選択可能チャネル数を各通信端末装置へ送信する送信部と、前記選択可能チャネル数に基づいて、前記複数のチャネルから一部分のチャネルを選択した選択チャネルを識別する選択チャネル情報と選択した選択チャネルの受信品質を通知する受信品質情報を前記通信端末装置から受信する受信部と、を備え、前記スケジューラ部は、前記受信品質情報に基づいて、前記通信端末装置を送信先とする送信データを割り当てるチャネルを決定し、前記送信部は、チャネル毎に選択した通信端末装置を送信先とする送信データを送信する。【００５５】
このように、本発明に係る通信制御装置のさらに別の一態様によれば、前記スケジューラ部が送信データの優先度に基づいて選択可能チャネル数を決定するため、通信制御装置は、データの優先度に応じてシステム全体の通信状況を調整することができる。これにより、通信制御装置は、通信端末装置が選択した選択可能チャネル数の周波数チャネルの受信品質情報を取得することになるため、全周波数チャネルの受信品質情報を通知する場合に比べ、制御情報量を抑制することが可能となり、制御情報通知によるオーバヘッドを減少させることができる。また、通信制御装置において通信端末装置が選択した周波数チャネルへ割り当てを行なうことにより、受信品質の良好な周波数チャネルへの割り当てを可能とする。【００５６】
（２５）また、本発明に係る通信制御装置のさらに別の一態様において、前記スケジューラ部によって各通信端末装置へ割り当てられたチャネルの数と、各通信端末装置から通知された選択チャネルの数とに基づいて、各通信端末装置の選択可能チャネル数を更新する統計処理部を、さらに備え、前記送信部は、更新された選択可能チャネル数を各通信端末装置へ送信する。【００５７】
このように、前記統計処理部は、実際に通信端末装置へ割り当てられたチャネル数と通信端末装置から通知された選択チャネル数とに基づいて選択可能チャネル数を更新することができる。これにより、通信状況に応じて通信端末装置が選択する選択チャネル数を変更することができる。【００５８】
（２６）本発明に係る通信制御装置の一態様において、前記受信部は、複数の通信端末装置それぞれから、前記選択チャネル情報と、前記選択チャネルにおける受信品質測定結果と、各通信端末装置の複数の受信品質測定結果を平均した平均測定結果とを含む受信品質情報を受信し、前記スケジューラ部は、前記平均測定結果に基づいて、各通信端末装置が選択チャネルに選択しなかったチャネルへ各通信端末装置を割り当てる。【００５９】
このように、前記スケジューラ部は、平均測定結果に基づいて、選択チャネルとして各通信端末装置から選択されなかったチャネル（各通信端末装置から受信品質測定結果が通知されていなチャネル）について、平均測定結果に基づいて、スケジューリングを行なうことができる。【００６０】
（２７）本発明に係る通信制御装置の一態様において、前記受信部は、複数の通信端末装置それぞれから、前記受信品質情報を受信し、前記スケジューラ部は、各通信端末装置が選択チャネルに選択しなかったチャネルへ前回割り当てた通信端末装置を割り当てる。【００６１】
このように、前記スケジューラ部は、前回選択チャネルとして選択しなかったチャネルへ、前回割り当てた通信端末装置を割り当てることにより、スケジューリングの負荷を抑制することができる。【００６２】
（２８）本発明に係る通信制御装置の一態様において、前記受信部は、複数の通信端末装置それぞれから、前記受信品質情報を受信し、前記スケジューラ部は、ラウンドロビン法を用いて、各通信端末装置が選択チャネルに選択しなかったチャネルへ各通信端末装置を割り当てる。【００６３】
このように、前記スケジューラ部は、各通信端末装置から選択チャネルに選択されなかったチャネルへ、ラウンドロビン法を用いてスケジューリングすることができる。【００６４】
（２９）本発明に係る通信制御装置の一態様において、前記通信端末装置から受信した受信品質情報に基づいて、変調方式と符号化率との少なくとも一方を特定する変調パラメータを、複数の周波数チャネルそれぞれへ選択する変調パラメータ選択部を、更に備える。【００６５】
このように、前記変調パラメータ選択部は、各通信端末装置が通知した受信品質情報に基づいて、変調パラメータを選択することができる。【００６６】
（３０）本発明に係る通信制御装置の一態様において、前記スケジューラ部は、前記平均測定結果に基づいて、各通信端末装置が選択チャネルに選択しなかったチャネルへ各通信端末装置を割り当て、前記平均測定結果に基づいて、各通信端末装置が選択チャネルに選択しなかったチャネルへ変調パラメータを選択する変調パラメータ選択部を、更に備える。【００６７】
このように、前記変調パラメータ選択部は、各通信端末装置が選択チャネルとして選択しなかったチャネルについて、平均測定結果に基づいて変調パラメータを選択することができる。これにより、受信品質情報が通知されなかったチャネルについても、送信先の通信端末装置の受信状況に応じた変調パラメータを選択することができる。【００６８】
（３１）本発明に係る通信制御装置の一態様において、前記受信部は、通信端末装置が割り当てを拒否する割り当て拒否チャネルを識別する割当拒否チャネル情報を含む受信品質情報を受信し、前記スケジューラ部は、前記割り当て拒否チャネル情報を通知した通信端末装置を前記割り当て拒否チャネル情報が示すチャネルへ割り当てない。【００６９】
このように、前記スケジューラ部は、割り当て拒否チャネルを通知した通信端末装置を、割り当て拒否チャネルへ割り当てることを回避することにより、各通信端末装置を受信品質の劣悪なチャネルへスケジューリングすることを防止することができる。【００７０】
（３２）本発明に係る通信制御装置の一態様において、前記スケジューラ部は、通信端末装置から選択チャネルとして選択されなかったチャネルを複数のサブチャネルに分割し、分割した複数のサブチャネルへ複数の通信端末装置を割り当てる。【００７１】
このように、前記スケジューラ部は、各通信端末装置が選択チャネルとして選択しなかったチャネルについて、複数のサブチャネルへ分割して複数の通信端末装置を割り当てることができる。これにより、周波数ダイバーシチ効果を得られることができる。【００７２】
（３３）本発明に係る通信システムの一態様は、複数のチャネルを用いて通信制御装置と通信端末装置との間で通信を行なう通信システムであって、前記通信端末装置は、制御信号を前記通信制御装置から受信する端末側受信部と、各チャネルの受信品質を測定する受信品質測定部と、前記受信した制御信号と測定した受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、生成した受信品質情報を前記通信制御装置へ送信する端末側送信部と、を備え、前記通信制御装置は、前記選択チャネルにおける受信品質情報を前記通信端末装置から受信する制御側受信部と、前記受信品質情報に基づいて、前記選択チャネルから少なくとも一つのチャネルを選択するスケジューラ部と、前記選択したチャネルへ前記通信端末装置を送信先とする送信データを割り当てて送信する制御側送信部と、を備える。【００７３】
このように、本発明に係る通信システムの一態様によれば、通信端末装置は、全周波数チャネルから一部分の周波数チャネルを選択し、選択した周波数チャネルの受信品質情報を通信制御装置へ通知する。これにより、全周波数チャネルの受信品質情報を通知する場合に比べ、制御情報量を抑制することが可能となり、制御情報通知によるオーバヘッドを減少させることができる。また、通信端末装置において受信品質の良好な受信品質情報を通信制御装置へ通知することになるため、受信品質の良好な周波数チャネルを通信制御装置へ通知することが可能になる。通信制御装置は、通信端末装置が選択した周波数チャネルへ割り当てを行なうことにより、受信品質の良好な周波数チャネルへの割り当てを可能とする。【００７４】
（３４）また、本発明に係る通信方法の一態様は、複数のチャネルを用いて通信制御装置と通信を行なう通信端末装置の通信方法であって、制御信号を前記通信制御装置から受信し、各チャネルの受信品質を測定し、前記受信した制御信号と測定した受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成し、生成した受信品質情報を前記通信制御装置へ送信する。【００７５】
このように、前記通信方法の一態様によれば、通信端末装置は、受信品質測定結果に基づいて全周波数チャネルから一部分の周波数チャネルを選択し、選択した周波数チャネルの受信品質情報を通信制御装置へ通知することにより、全周波数チャネルの受信品質情報を通知する場合に比べ、制御情報量を抑制することが可能となる。これにより、制御情報通知によるオーバヘッドを減少させることができる。【００７６】
（３５）また、本発明に係る通信方法の別の一態様は、複数のチャネルを用いて通信端末装置と通信を行なう通信制御装置の通信方法であって、前記複数のチャネルから一部分のチャネルを選択した選択チャネルを識別する選択チャネル情報と選択した選択チャネルの受信品質を通知する受信品質情報を前記通信端末装置から受信し、前記受信品質情報に基づいて、前記通信端末装置を送信先とする送信データを割り当てるチャネルを決定し、選択したチャネルへ前記通信端末装置を送信先とする送信データを送信する。【００７７】
このように、本発明に係る通信方法の別の一態様によれば、通信端末装置が選択した一部分の周波数チャネルの受信品質情報を取得することになるため、全周波数チャネルの受信品質情報を通知する場合に比べ、制御情報量を抑制することが可能となり、制御情報通知によるオーバヘッドを減少させることができる。また、通信制御装置において通信端末装置が選択した周波数チャネルへ割り当てを行なうことにより、受信品質の良好な周波数チャネルへの割り当てを可能とする。【００７８】
（３６）また、本発明に係る通信方法のさらに別の一態様は、複数のチャネルを用いて通信制御装置と通信端末装置との間で通信を行なう通信方法であって、前記通信端末装置は、制御信号を前記通信制御装置から受信し、各チャネルの受信品質を測定し、前記受信した制御信号と測定した受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成し、生成した受信品質情報を前記通信制御装置へ送信し、前記通信制御装置は、前記選択チャネルにおける受信品質情報を前記通信端末装置から受信し、前記受信品質情報に基づいて、前記通信端末装置を送信先とする送信データを割り当てるチャネルを決定し、選択したチャネルへ前記通信端末装置を送信先とする送信データを送信する。【００７９】
このように、本発明に係る通信方法のさらに別の一態様によれば、通信端末装置は、全周波数チャネルから一部分の周波数チャネルを選択し、選択した周波数チャネルの受信品質情報を通信制御装置へ通知する。これにより、全周波数チャネルの受信品質情報を通知する場合に比べ、制御情報量を抑制することが可能となり、制御情報通知によるオーバヘッドを減少させることができる。また、通信端末装置において受信品質の良好な受信品質情報を通信制御装置へ通知することになるため、受信品質の良好な周波数チャネルを通信制御装置へ通知することが可能になる。通信制御装置は、通信端末装置が選択した周波数チャネルへ割り当てを行なうことにより、受信品質の良好な周波数チャネルへの割り当てを可能とする。【００８０】
さらに、本発明に係る課題を解決するために次のような態様を取ることもできる。本発明に係る通信端末装置の一態様は、複数のチャネルを用いて通信制御装置と通信を行なう通信端末装置であって、制御信号を通信制御装置から受信する受信部と、受信した制御信号に基づいて、各チャネルの受信品質を測定する受信品質測定部と、測定した受信品質測定結果に基づいて、前記複数のチャネルから一部分のチャネルを選択チャネルとして選択し、選択した選択チャネルにおける受信品質測定結果を通信先装置（前記通信制御装置）へ通知する受信品質情報を生成する受信品質情報生成部と、生成した受信品質情報を前記通信先装置へ送信する送信部と、を備えることを特徴とする。【００８１】
このように、前記通信制御装置の一態様によれば、通信端末装置は、全周波数チャネルから一部分の周波数チャネルを選択し、選択した周波数チャネルの受信品質情報を通信制御装置へ通知することができる。全周波数チャネルの受信品質情報を通知する場合に比べ、制御情報量を抑制することが可能となり、制御情報通知によるオーバヘッドを減少させることができる。【００８２】
また、本発明に係る通信端末装置の一態様において、前記受信品質情報生成部は、前記受信品質測定結果が良好な所定の数のチャネルを選択チャネルとして選択する選択チャネル選択部と、選択した選択チャネルを識別する選択チャネル番号と、前記選択チャネルにおける受信品質測定結果を示す選択チャネル測定結果とを含む受信品質情報を生成する制御情報生成部とを備えることを特徴とする。【００８３】
このように、通信端末装置において受信品質の良好な受信品質情報を通信制御装置へ通知することになるため、受信品質の良好な周波数チャネルを通信制御装置へ通知することが可能になる。通信制御装置において通信端末装置が選択した周波数チャネルへ割り当てを行なうことにより、受信品質の良好な周波数チャネルへの割り当てを可能とする。【００８４】
本発明に係る通信端末装置の一態様において、前記受信品質情報生成部は、前記受信品質測定結果が所定の閾値より大きいチャネルを選択チャネルとして選択する選択チャネル選択部と、選択した選択チャネルにおける受信品質測定結果を受信品質情報として生成する制御情報生成部とを備えることを特徴とする。【００８５】
このように、前記受信品質情報生成部は、複数のチャネルから受信品質測定結果が閾値より大きいチャネルを選択チャネルとして選択することができる。これにより、所定の受信品質を備えるチャネルを選択チャネルとして通信制御装置へ通知することができる。【００８６】
本発明に係る通信端末装置の一態様において、前記受信品質情報生成部は、前記受信品質測定結果が良好な自己が設定した閾値の数のチャネルを選択チャネルとして選択する選択チャネル選択部と、選択した選択チャネルにおける受信品質測定結果を受信品質情報として生成する受信品質情報生成部とを備えることを特徴とする。【００８７】
これにより、受信品質の良好な順番に選択した選択チャネルを通信制御装置へ通知することができる。【００８８】
本発明に係る通信端末装置の一態様において、前記選択チャネル選択部は、前記受信品質測定結果が良好な順番に選択チャネルを選択することを特徴とする。【００８９】
これにより、前記選択チャネル選択部は、受信品質測定結果が良好な順番に選択チャネルを選択することができる。【００９０】
さらに、本発明に係る通信端末装置の一態様において、前記受信部は、選択するチャネルの数を指定する選択可能チャネル数を前記通信端末装置から受信し、前記選択チャネル選択部は、受信した選択可能チャネル数に指定された数の選択チャネルを選択することを特徴とする。【００９１】
このように、通信制御装置が通信状況に基づいて通信可能チャネル数を通知することにより、通信制御装置側で通信端末装置からの制御情報の量を調整することができる。【００９２】
本発明に係る通信端末装置の一態様において、前記制御情報生成部は、複数のチャネルの受信品質測定結果を平均した平均測定結果を算出し、算出した平均測定結果をさらに含む受信品質情報を生成することを特徴とする。【００９３】
このように、平均測定結果を通信制御装置へ通知することにより、通信制御装置は、選択チャネルとして選択されなかったチャネルの割り当てに平均測定結果を用いることができる。【００９４】
本発明に係る通信端末装置の一態様において、前記制御情報生成部は、平均測定結果として、選択チャネルとして選択されなかったチャネルにおける受信品質測定結果を平均した平均値、または、複数のチャネルすべての受信品質測定結果を平均した平均値とのいずれかを含む受信品質情報を生成することを特徴とする。【００９５】
このように、前記制御情報生成部は、平均測定結果として、全チャネルあるいは選択チャネルの受信品質測定結果の平均値を用いることができる。【００９６】
本発明に係る通信端末装置の一態様において、前記受信部は、各通信端末装置が割り当てられたチャネルの受信品質を測定した、チャネル毎の受信品質測定結果を割り当て測定結果として受信し、前記選択チャネル選択部は、自己が測定した受信品質測定結果と前記割り当て測定結果とに基づいて、所定の数のチャネルを選択することを特徴とする。【００９７】
このように、前記選択チャネル選択部は、各チャネルに割り当てられた受信品質測定結果に基づいて、選択チャネルを選択することができる。【００９８】
本発明に係る通信端末装置の一態様において、前記受信品質情報生成部は、各チャネルについて、前記測定した受信品質測定結果と前記割り当て測定結果とを比較して受信品質差を算出する受信品質差算出部を、更に備え、前記選択チャネル選択部は、算出した受信品質差が所定の閾値より大きいチャネルを選択チャネルとして選択することを特徴とする。【００９９】
このように、受信品質差算出部を備えることにより、前記選択チャネル選択部は、受信品質差に基づいて、選択チャネルを選択することができる。【０１００】
本発明に係る通信端末装置の一態様において、前記受信品質差算出部は、前記測定した受信品質測定結果と前記割り当て測定結果との差分、または、前記測定した受信品質測定結果と前記割り当て測定結果との比率のいずれか一方を受信品質差として算出することを特徴とする。【０１０１】
このように、前記受信品質差算出部は、差分と比率など二つの値を比較する演算を用いて受信品質差を算出することができる。【０１０２】
本発明に係る通信端末装置の一態様において、前記選択チャネル選択部は、前記受信品質差が所定の閾値より大きいチャネルのうち、前回自己へ割り当てられたチャネルを優先して選択チャネルとして選択することを特徴とする。【０１０３】
このように、前記選択チャネル選択部は、閾値を用いて選択チャネルを選択することができる。【０１０４】
本発明に係る通信端末装置の一態様において、前記受信部は、前記通信制御装置が受信品質情報に基づいて割り当て変更候補となるチャネルを識別する割り当て変更候補チャネル番号と、前記割り当て変更候補チャネルにおける受信品質測定結果とを受信し、前記選択チャネル選択部は、自己が測定した受信品質測定結果と、前記割り当て変更候補チャネルにおける受信品質測定結果とを比較し、比較結果に基づいて、選択チャネルを選択することを特徴とする。【０１０５】
このように、前記選択チャネル選択部は、通信制御装置から通知された割り当て変更候補チャネルの中から割り当てを希望する周波数チャネルを選択することができる。これにより、各チャネルにおいて自己の通信端末装置の受信品質測定結果と比較することが可能となり、効率的なスケジューリングができる。【０１０６】
本発明に係る通信端末装置の一態様において、前記受信品質情報生成部は、前記受信品質測定結果に基づいて、前記複数のチャネルから一部分のチャネルを割り当て拒否チャネルとして選択し、選択した割り当て拒否チャネルを識別する割り当て拒否チャネル番号を受信品質情報へ含めることを特徴とする。【０１０７】
このように、前記受信品質情報生成部は、割り当てを拒否する割り当てチャネルを通信制御装置へ通知することができる。これにより、受信品質の劣悪なチャネルへ割り当てられることを回避することができる。【０１０８】
本発明に係る通信端末装置の一態様において、前記受信品質情報生成部は、前記受信品質測定結果が所定の閾値より低いチャネルを割り当て拒否チャネルとして選択することを特徴とする。【０１０９】
これにより、前記受信品質情報生成部は、閾値を用いて割り当て拒否チャネルを選択することができる。【０１１０】
本発明に係る通信端末装置の一態様において、前記受信品質情報生成部は、前記受信品質測定結果が悪い順に所定の数のチャネルを割り当て拒否チャネルとして選択することを特徴とする。【０１１１】
これにより、前記受信品質情報生成部は、受信品質の悪いチャネルから割り当て拒否チャネルを選択することができる。【０１１２】
本発明に係る通信端末装置の一態様において、前記選択チャネル選択部は、算出した受信品質差が所定の閾値より小さいチャネルを割り当て拒否チャネルとして選択し、選択した割り当て拒否チャネルを識別する割り当て拒否チャネル番号を受信品質情報へ含めることを特徴とする。【０１１３】
これにより、前記選択チャネル選択部は、受信品質差に基づいて、割り当て拒否チャネルを選択することができる。【０１１４】
本発明に係る通信端末装置の一態様において、前記受信品質情報生成部は、前記受信品質測定結果に基づいて、変調方式と符号化率との少なくとも一方を特定する変調パラメータを選択する変調パラメータ選択部を、更に備え、前記制御情報生成部は、変調パラメータを受信品質測定結果として含む受信品質測定情報を生成することを特徴とする。【０１１５】
これにより、前記受信品質情報生成部は、受信品質測定結果に基づいて、変調パラメータを選択することができる。【０１１６】
本発明に係る通信端末装置の一態様において、前記受信品質情報生成部は、受信信号電力、受信の成否、および、伝送レートの少なくとも一つを受信品質測定結果として受信品質情報を生成することを特徴とする。【０１１７】
このように、前記受信品質情報生成部は、受信品質として、受信信号電力、受信の成否、伝送レートのいずれかを用いることができる。【０１１８】
本発明に係る通信端末装置の一態様において、前記受信部は、複数のチャネルそれぞれについて、変調方式と符号化率との少なくとも一方を特定する変調パラメータを特定する変調パラメータ情報を受信し、前記受信品質情報生成部は、前記受信品質測定結果に基づいて、チャネル毎に変調パラメータを選択する変調パラメータ選択部と、受信した変調パラメータ情報と選択したチャネル毎の変調パラメータとを比較して、選択チャネルを選択する選択チャネル選択部と、選択した選択チャネルを識別する選択チャネル番号と、前記選択チャネルにおける受信品質測定結果を示す選択チャネル測定結果と、を含む受信品質情報を生成する制御情報生成部とを備えることを特徴とする。【０１１９】
このように、前記受信品質情報生成部は、変調パラメータに基づいて受信品質情報を生成することができる。【０１２０】
本発明に係る通信端末装置の一態様において、前記受信品質情報生成部は、前記受信品質測定結果に基づいて、前記閾値を変更すること特徴とする。【０１２１】
前記受信品質情報生成部は、受信品質測定結果に応じて、前記閾値を変更するため、受信品質に応じて選択チャネルの受信品質、あるいは、選択チャネルの数を変更することができる。これにより、受信品質測定結果応じて選択チャネルを選択する閾値を変更し、制御情報量を調整することができる。【０１２２】
本発明に係る通信端末装置の一態様において、前記受信部は、各チャネルに割り当てられた通信端末装置が測定した受信品質測定結果を割り当て測定結果として受信し、前記受信品質情報生成部は、自己が測定した受信品質測定結果と前記割り当て測定結果とに基づいて、前記閾値を変更することを特徴とする。【０１２３】
このように、前記受信品質情報生成部は、通信制御装置がチャネルに割り当てた通信端末装置が測定した受信品質測定結果に基づいて、前記閾値を変更することができる。これにより、通信制御装置のチャネル割り当て状況に応じて選択チャネルを選択する閾値を変更し、制御情報量を調整することができる。【０１２４】
本発明に係る通信端末装置の一態様において、前記受信品質情報生成部は、送信要求するデータの優先度に基づいて、前記閾値を変更すること特徴とする。【０１２５】
このように、前記受信品質情報生成部は、データの優先度に基づいて、前記閾値を変更することができる。これにより、データの優先度に応じて選択チャネルを選択する閾値を変更し、制御情報量を調整することができる。【０１２６】
本発明に係る通信制御装置の一態様は、複数のチャネルを用いて通信端末装置と通信を行なう通信制御装置であって、前記複数のチャネルから一部分のチャネルを選択した選択チャネルの受信品質を通知する受信品質情報を前記通信端末装置から受信する受信部と、前記受信品質情報に基づいて、前記選択チャネルから少なくとも一つのチャネルを選択するスケジューラ部と、前記選択したチャネルへ前記通信端末装置を送信先とする送信データを割り当てて送信する送信部と、を備えることと特徴とする。【０１２７】
このように、本発明に係る通信制御装置の一態様によれば、通信端末装置が、全周波数チャネルから一部分の周波数チャネルを選択し、選択した周波数チャネルの受信品質情報を取得することができる。全周波数チャネルの受信品質情報を通知する場合に比べ、制御情報量を抑制することが可能となり、制御情報通知によるオーバヘッドを減少させることができる。通信制御装置において通信端末装置が選択した周波数チャネルへ割り当てを行なうことにより、受信品質の良好な周波数チャネルへの割り当てを可能とする。【０１２８】
また、本発明に係る通信制御装置の一態様において、前記受信部は、複数の通信端末装置それぞれから、前記選択チャネルを識別する選択チャネル番号と、選択チャネルにおける受信品質測定結果を示す選択チャネル測定結果と含む受信品質情報を受信し、前記スケジューラ部は、複数の通信端末装置それぞれから送信された選択チャネル情報と選択チャネル測定結果に基づいて、チャネル毎に受信品質測定結果が良好な通信端末装置を選択し、前記送信部は、チャネル毎に選択した通信端末装置を送信先とする送信データを割り当てて送信することを特徴とする。【０１２９】
このように、前記スケジューラ部は、通信端末装置から通知された受信品質情報に基づいて、受信品質が良好な通信端末装置をチャネルへスケジューリングすることができる。【０１３０】
さらに、本発明に係る通信制御装置の一態様において、前記受信部は、各通信端末装置の複数の受信品質測定結果を平均した平均測定結果をさらに含む受信品質情報を受信し、前記スケジューラ部は、前記平均測定結果に基づいて、各通信端末装置が選択チャネルに選択しなかったチャネルへ各通信端末装置を割り当てることを特徴とする。【０１３１】
このように、前記スケジューラ部は、平均測定結果を取得することができる。これにより、選択チャネルとして各通信端末装置から選択されなかったチャネルについて、すなわち、受信品質測定結果が通知されていなチャネルについて、平均測定結果に基づいて、スケジューリングを行なうことができる。【０１３２】
本発明に係る通信制御装置の一態様において、前記スケジューラ部は、各通信端末装置が選択チャネルに選択しなかったチャネルへ前回割り当てた通信端末装置を割り当てることを特徴とする。【０１３３】
このように、前記スケジューラ部は、前回選択チャネルとして選択しなかったチャネルへ、前回割り当てた通信端末装置を割り当てることができる。これにより、スケジューリングの負荷を抑制することができる。【０１３４】
本発明に係る通信制御装置の一態様において、前記スケジューラ部は、ラウンドロビン法を用いて、各通信端末装置が選択チャネルに選択しなかったチャネルへ各通信端末装置を割り当てることを特徴とする。【０１３５】
このように、前記スケジューラ部は、各通信端末装置から選択チャネルに選択されなかったチャネルへ、ラウンドロビン法を用いてスケジューリングすることができる。【０１３６】
本発明に係る通信制御装置の一態様において、前記スケジューラ部は、各通信端末装置が要求する送信データに応じて、通信端末装置が選択チャネルを選択することが可能な選択可能チャネル数を決定し、前記送信部は、決定した選択可能チャネルを各通信端末装置へ送信することを特徴とする。【０１３７】
このように、前記スケジューラ部は、通信制御装置が選択可能チャネル数を通信端末装置へ通知することにより、通信制御装置側が通信状況にあわせて、通信端末装置から通知される受信品質情報量を調整することができる。【０１３８】
本発明に係る通信制御装置の一態様において、前記スケジューラ部は、前記受信品質情報に基づいて各チャネルへ通信端末装置を割り当て、複数のチャネルそれぞれについて、各チャネルへ割り当てた通信端末装置が測定した受信品質測定結果を用いて割り当て測定結果を生成し、前記送信部は、生成した割り当て測定結果を各通信端末装置へ送信することを特徴とする。【０１３９】
このように、スケジューラ部は、割り当てた通信端末装置が測定した受信品質測定結果を用いて、各チャネルの受信品質測定結果を示す割り当て測定結果を生成することができる。これにより、通信制御装置は、各チャネルに割り当てられた通信端末装置測定した各チャネルの受信品質測定結果を各通信端末装置へ通知することができる。通信端末装置は、割り当て測定結果と自己が測定した受信品質測定結果とを比較して選択チャネルを選択することができる。【０１４０】
本発明に係る通信制御装置の一態様において、前記スケジューラ部が生成した割り当て測定結果に基づいて、所定の条件より低いチャネルを割り当て変更候補チャネルとして選択し、選択した割り当て変更候補チャネルを識別する割り当て変更候補チャネル番号と、前記割り当て変更候補チャネルにおける受信品質測定結果とを割り当て変更候補情報として生成し、前記送信部は、生成した割り当て変更候補情報を各通信端末装置へ送信することを特徴とする。【０１４１】
このように、前記スケジューラ部は、前記割り当て変更候補チャネルを選択し、通信端末装置へ通知することができる。これにより、通信端末装置は、割り当て変更候補チャネルと比較して、自己の受信品質想定結果が良好なチャネルを選択チャネルとして選択することができる。【０１４２】
本発明に係る通信制御装置の一態様において、前記受信部は、通信端末装置が割り当てを拒否する割り当て拒否チャネル番号を含む受信品質情報を受信し、前記スケジューラ部は、前記割り当て拒否チャネル番号を通知した通信端末装置を前記割り当て拒否チャネル番号が示すチャネルへ割り当てないことを特徴とする。【０１４３】
このように、前記スケジューラ部は、割り当て拒否チャネルを通知した通信端末装置を、割り当て拒否チャネルへ割り当てることを回避することができる。これにより、受信品質の劣悪なチャネルへのスケジューリングを防止することができる。【０１４４】
本発明に係る通信制御装置の一態様において、前記スケジューラ部は、送信データの優先度を判定し、優先度の高い送信データの送信先となる通信端末装置から先にチャネルへ割り当てることを特徴とする。【０１４５】
このように、前記スケジューラ部は、送信データの優先度に基づいて、スケジューリングする通信端末装置の順番を決めることができる。【０１４６】
本発明に係る通信制御装置の一態様において、前記スケジューラ部は、送信データの優先度を判定し、優先度に応じて送信データを送信先とする通信端末装置へ割り当てる選択可能チャネル数を決定することを特徴とする。【０１４７】
このように、前記スケジューラ部は、送信データの優先度に基づいて、選択可能チャネルを決定することができる。これにより、データの優先度に応じてシステム全体の通信状況を調整することができる。【０１４８】
本発明に係る通信制御装置の一態様において、前記スケジューラ部によって各通信端末装置へ割り当てられたチャネルの数と、各通信端末装置から通知された選択チャネルの数と基づいて、各通信端末装置の選択可能チャネル数を更新する統計処理部を、さらに備え、前記送信部は、更新された選択可能チャネル数を各通信端末装置へ送信することを特徴とする。【０１４９】
このように、前記統計処理部は、実際に通信端末装置へ割り当てられたチャネル数と通信端末装置から通知された選択チャネル数とに基づいて選択可能チャネル数を更新することができる。これにより、通信状況に応じて通信端末装置が選択する選択チャネル数を変更することができる。【０１５０】
本発明に係る通信制御装置の一態様において、前記統計処理部は、前記選択チャネルの数に対する前記割り当てられたチャネルの数の割合が大きい通信端末装置について前記選択可能チャネル数を増加させるように変更し、前記割合が小さい通信端末装置について前記選択可能チャネル数を減少させるように変更することを特徴とする。【０１５１】
このように、前記統計処理部は、前記選択チャネルの数に対する前記割り当てられたチャネルの数の割合に応じて、選択可能チャネル数を変更することができる。【０１５２】
本発明に係る通信制御装置の一態様において、前記通信端末装置から受信した受信品質情報に基づいて、変調方式と符号化率との少なくとも一方を特定する変調パラメータを、複数の周波数チャネルそれぞれへ選択する変調パラメータ選択部を、更に備えることを特徴とする。【０１５３】
このように、前記変調パラメータ選択部は、各通信端末装置が通知した受信品質情報に基づいて、変調パラメータを選択することができる。【０１５４】
本発明に係る通信制御装置の一態様において、前記受信部は、各通信端末装置の複数の受信品質測定結果を平均した平均測定結果をさらに含む受信品質情報を受信し、前記スケジューラ部は、前記平均測定結果に基づいて、各通信端末装置が選択チャネルに選択しなかったチャネルへ各通信端末装置を割り当て、前記変調パラメータ選択部は、前記平均測定結果に基づいて、各通信端末装置が選択チャネルに選択しなかったチャネルへ変調パラメータを選択することを特徴とする。【０１５５】
このように、前記変調パラメータ選択部は、各通信端末装置が選択チャネルとして選択しなかったチャネルについて、平均測定結果に基づいて変調パラメータを選択することができる。【０１５６】
本発明に係る通信制御装置の一態様において、前記スケジューラ部は、通信端末装置から選択チャネルとして選択されなかったチャネルを複数のサブチャネルに分割し、分割した複数のサブチャネルへ複数の通信端末装置を割り当てることを特徴とする。【０１５７】
このように、前記スケジューラ部は、各通信端末装置が選択チャネルとして選択しなかったチャネルについて、複数のサブチャネルへ分割して複数の通信端末装置を割り当てることができる。これにより、周波数ダイバーシチ効果を得られることができる。【０１５８】
本発明に係る通信システムの一態様は、複数のチャネルを用いて通信制御装置と通信端末装置との間で通信を行なう通信システムであって、前記通信端末装置は、制御信号を通信制御装置から受信する端末側受信部と、受信した制御信号に基づいて、各チャネルの受信品質を測定する受信品質測定部と、測定した受信品質測定結果に基づいて、前記複数のチャネルから一部分のチャネルを選択チャネルとして選択し、選択した選択チャネルにおける受信品質測定結果を通信先装置へ通知する受信品質情報を生成する受信品質情報生成部と、生成した受信品質情報を前記通信先装置へ送信する端末側送信部と、を備え、前記通信制御装置は、前記選択チャネルにおける受信品質情報を前記通信端末装置から受信する制御側受信部と、前記受信品質情報に基づいて、前記選択チャネルから少なくとも一つのチャネルを選択するスケジューラ部と、前記選択したチャネルへ前記通信端末装置を送信先とする送信データを割り当てて送信する制御側送信部と、を備えることを特徴とする。【０１５９】
このように、本発明に係る通信システムの一態様によれば、通信端末装置は、全周波数チャネルから一部分の周波数チャネルを選択し、選択した周波数チャネルの受信品質情報を通信制御装置へ通知することができる。全周波数チャネルの受信品質情報を通知する場合に比べ、制御情報量を抑制することが可能となり、制御情報通知によるオーバヘッドを減少させることができる。また、通信端末装置において受信品質の良好な受信品質情報を通信制御装置へ通知することになるため、受信品質の良好な周波数チャネルを通信制御装置へ通知することが可能になる。通信制御装置において通信端末装置が選択した周波数チャネルへ割り当てを行なうことにより、受信品質の良好な周波数チャネルへの割り当てを可能とする。【０１６０】
本発明に係る通信方法の一態様は、複数のチャネルを用いて通信制御装置と通信を行なう通信端末装置の通信方法であって、制御信号を通信制御装置から受信し、受信した制御信号に基づいて、各チャネルの受信品質を測定し、測定した受信品質測定結果に基づいて、前記複数のチャネルから一部分のチャネルを選択チャネルとして選択し、選択した選択チャネルにおける受信品質測定結果を通信先装置へ通知する受信品質情報を生成し、生成した受信品質情報を前記通信先装置へ送信することを特徴とする。【０１６１】
このように、本発明に係る通信方法の一態様によれば、通信端末装置は、全周波数チャネルから一部分の周波数チャネルを選択し、選択した周波数チャネルの受信品質情報を通信制御装置へ通知することができる。全周波数チャネルの受信品質情報を通知する場合に比べ、制御情報量を抑制することが可能となり、制御情報通知によるオーバヘッドを減少させることができる。【０１６２】
本発明に係る通信方法の一態様は、複数のチャネルを用いて通信端末装置と通信を行なう通信制御装置の通信方法であって、前記複数のチャネルから一部分のチャネルを選択した選択チャネルの受信品質を通知する受信品質情報を前記通信端末装置から受信し、前記受信品質情報に基づいて、前記選択チャネルから少なくとも一つのチャネルを選択し、選択したチャネルへ前記通信端末装置を送信先とする送信データを割り当てて送信することと特徴とする。【０１６３】
このように、本発明に係る通信方法の一態様によれば、通信端末装置が、全周波数チャネルから一部分の周波数チャネルを選択し、選択した周波数チャネルの受信品質情報を取得することができる。全周波数チャネルの受信品質情報を通知する場合に比べ、制御情報量を抑制することが可能となり、制御情報通知によるオーバヘッドを減少させることができる。通信制御装置において通信端末装置が選択した周波数チャネルへ割り当てを行なうことにより、受信品質の良好な周波数チャネルへの割り当てを可能とする。【０１６４】
本発明に係る通信方法の一態様は、複数のチャネルを用いて通信制御装置と通信端末装置との間で通信を行なう通信方法であって、前記通信端末装置は、制御信号を通信制御装置から受信し、受信した制御信号に基づいて、各チャネルの受信品質を測定し、測定した受信品質測定結果に基づいて、前記複数のチャネルから一部分のチャネルを選択チャネルとして選択し、選択した選択チャネルにおける受信品質測定結果を通信先装置へ通知する受信品質情報を生成し、生成した受信品質情報を前記通信先装置へ送信し、前記通信制御装置は、前記選択チャネルにおける受信品質情報を前記通信端末装置から受信し、前記受信品質情報に基づいて、前記選択チャネルから少なくとも一つのチャネルを選択し、選択したチャネルへ前記通信端末装置を送信先とする送信データを割り当てて送信することを特徴とする。【０１６５】
このように、本発明に係る通信方法の一態様によれば、通信端末装置は、全周波数チャネルから一部分の周波数チャネルを選択し、選択した周波数チャネルの受信品質情報を通信制御装置へ通知することができる。全周波数チャネルの受信品質情報を通知する場合に比べ、制御情報量を抑制することが可能となり、制御情報通知によるオーバヘッドを減少させることができる。また、通信端末装置において受信品質の良好な受信品質情報を通信制御装置へ通知することになるため、受信品質の良好な周波数チャネルを通信制御装置へ通知することが可能になる。通信制御装置において通信端末装置が選択した周波数チャネルへ割り当てを行なうことにより、受信品質の良好な周波数チャネルへの割り当てを可能とする。
【発明の効果】
【０１６６】
本発明によれば、通信端末装置から通信制御装置へ通知する制御情報量を抑えつつ、スループットが向上するスケジューリングを行なうことが可能となる。
【発明を実施するための最良の形態】
【０１６７】
次に、本発明の実施の形態について、図面を参照しながら説明する。【０１６８】
（第１の実施形態）
図１は、本発明に係る第１の実施形態の無線通信システムの構成例を示すブロック図である。以下の各実施形態の説明では、受信品質としてＣＩＮＲ（Ｃａｒｒｉｅｒ−ｔｏ−Ｉｎｔｅｒｆｅｒｅｎｃｅ  ｐｌｕｓ  Ｎｏｉｓｅ  ｐｏｗｅｒ  Ｒａｔｉｏ：搬送波対干渉波＋雑音電力比）を用いた場合について説明するが、受信品質としてはその他ものを適用することも可能である。例えば、ＲＳＳＩ（Ｒｅｃｅｉｖｅ  Ｓｉｇｎａｌ  Ｓｔｒｅｎｇｔｈ  Ｉｎｄｉｃａｔｉｏｎ）、ＳＮＲ（Ｓｉｇｎａｌ  ｔｏ  Ｎｏｉｓｅ  ｐｏｗｅｒ  Ｒａｔｉｏ：信号対雑音電力比）、ＳＩＲ（Ｓｉｇｎａｌ  ｔｏ  Ｉｎｔｅｒｆｅｒｅｎｃｅ  ｐｏｗｅｒ  Ｒａｔｉｏ：信号対干渉電力比）、ＳＩＮＲ（Ｓｉｇｎａｌ  ｔｏ  Ｉｎｔｅｒｆｅｒｅｎｃｅ  ｐｌｕｓ  Ｎｏｉｓｅ  ｐｏｗｅｒ  Ｒａｔｉｏ：信号対干渉＋雑音電力比）、ＣＮＲ（Ｃａｒｒｉｅｒ  ｔｏ  Ｎｏｉｓｅ  ｐｏｗｅｒ  Ｒａｔｉｏ：搬送波対雑音電力比）、ＣＩＲ（Ｃａｒｒｉｅｒ  ｔｏ  Ｉｎｔｅｒｆｅｒｅｎｃｅ  ｐｏｗｅｒ  Ｒａｔｉｏ：搬送波対干渉波電力比）など受信信号電力や搬送波電力に関連して受信品質を示す指標、あるいはＢＥＲ（Ｂｉｔ  Ｅｒｒｏｒ  Ｒａｔｅ：ビット誤り率）、ＰＥＲ（Ｐａｃｋｅｔ  Ｅｒｒｏｒ  Ｒａｔｅ：パケット誤り率）、ＢＬＥＲ（Ｂｌｏｃｋ  Ｅｒｒｏｒ  Ｒａｔｅ：ブロック誤り率）など受信の成否に関連して受信品質を示す指標などを用いても良い。また、本実施形態では、周波数チャネルは一つあるいは複数のサブキャリアを意味しており、複数の周波数チャネルにおけるスケジューリングに関して説明するが、本発明が適用できるチャネルは周波数チャネルに限らず、例えばＳＤＭＡ（Ｓｐａｃｅ  Ｄｉｖｉｓｉｏｎ  Ｍｕｌｔｉｐｌｅ  Ａｃｃｅｓｓ）において固有モードが示す複数のチャネル、あるいはこれらの組み合わせとしてのチャネルなど、複数のチャネルを用いて通信を行なうシステムであって、チャネル毎に受信品質が異なる可能性があるシステムにおいて、同様のスケジューリングが可能である。また、フレームは、送信単位を意味する。【０１６９】
図１に示す無線通信システムは、ＯＦＤＭＡシステムを想定し、通信制御装置１００は基地局、通信端末装置２００は移動局を想定しているが、これに限られるものではない。二つの通信装置間で、受信品質情報を通知する側（受信品質通知機能を行う側）を通信端末装置、通知された受信品質情報に基づいて送信データを各チャネルに割り当てる側（割り当て機能を行う側）を通信制御装置とする。一つの通信装置が両方の機能を有する場合もあり得る。本明細書では、通信装置は、無線通信を行なう装置であり、基地局、移動局、無線機、携帯端末、携帯電話等を含む。本発明は、複数の通信装置のいずれかが割り当て機能を実施し、他の通信装置が受信品質通知機能を実施することができる関係にある通信装置同士へ適用することができる。【０１７０】
通信制御装置１００は、送信フレーム生成部１１０、マッピング部１２０、ＩＦＦＴ（Ｉｎｖｅｒｓｅ  Ｆａｓｔ  Ｆｏｕｒｉｅｒ  Ｔｒａｎｓｐｏｒｔ：逆高速フーリエ変換）部１３０、送信部（制御側送信部）１４０、アンテナ１５０、受信部（制御側受信部）１６０、判定部１７０、スケジューラ部１８０を備える。通信端末装置２００は、アンテナ２１０、受信部（端末側受信部）２２０、ＦＦＴ（Ｆａｓｔ  Ｆｏｕｒｉｅｒ  Ｔｒａｎｓｐｏｒｔ：高速フーリエ変換）部２３０、判定部２４０、受信品質測定部２５０、受信品質情報生成部２６０、送信フレーム生成部２７０、マッピング部２８０、送信部（端末側送信部）２９０を備える。【０１７１】
無線通信システムを構成する各構成要素について、データの流れに沿って説明する。まず、通信制御装置１００において、通信端末装置２００へ送信データ（下り送信データ）を送信する流れを説明する。【０１７２】
送信フレーム生成部１１０は、スケジューラ部１８０から通知されたスケジューリング制御情報に従い、送信データ（下り送信データ）から送信フレームを生成する。このとき、スケジューラ部１８０から通知されたＭＣＳ（Ｍｏｄｕｌａｔｉｏｎ  ａｎｄ  Ｃｏｄｉｎｇ  Ｓｃｈｅｍｅ、変調パラメータ）情報に従いチャネル符号化を行なう。また、ＭＣＳ情報を通信端末装置に通知するための制御データを生成し、送信フレームに多重する。このとき、異なるチャネルで通信端末装置に通知してもよい。また、制御シンボルをマッピング後に多重してもよい。変調パラメータ（ＭＣＳ）は、変調方式と符号化率との少なくとも一方を特定する情報である。【０１７３】
マッピング部１２０は、スケジューラ部１８０から通知されたＭＣＳ制御情報に従い、送信フレームのマッピングを行なう。【０１７４】
ＩＦＦＴ部１３０は、マッピング部１２０で生成された変調シンボル列を逆高速フーリエ変換することによりＯＦＤＭ信号を生成する。送信部１４０は、アンテナ１５０を介してＯＦＤＭ信号を送信する。【０１７５】
次に、通信端末装置２００において、通信制御装置１００が送信した送信データ（下り送信データ）を受信し、通信端末装置２００が送信する送信データ（上り送信データ）を送信する流れを説明する。【０１７６】
受信部２２０は、アンテナ２１０を介して通信制御装置２００から送信されたＯＦＤＭ信号を受信する。ＦＦＴ部２３０は、各サブキャリアの変調シンボルに変換する。【０１７７】
判定部２４０は、ＦＦＴ部２３０が変換した変調シンボルを復調および復号化する。このとき、判定部２４０は、まずＭＣＳ情報およびスケジューリング制御情報を判定し、これらの制御情報に従ってデータ部分を判定する。判定された受信信号（ＳＮＲなど干渉成分を推定する必要が無い場合は、判定前の信号、または予め通信制御装置において多重された既知信号の受信信号でもよい。）は、受信品質測定部２５０に送られる。【０１７８】
受信品質測定部２５０は、判定部２４０が判定した受信信号の受信品質を測定する。本実施形態では、受信品質としてＣＩＮＲを測定する。測定した受信品質測定結果は、受信品質情報生成部２６０へ通知される。受信品質測定結果の具体例については、図７から図９に示す具体例を用いて後述する。【０１７９】
受信品質情報生成部２６０は、受信品質測定部２５０が測定した受信品質測定結果に基づいて、受信品質情報を生成する。受信品質情報は、複数のチャネルから一部分のチャネル（以下、「選択チャネル」と記す）の受信品質を通信先装置へ通知する情報である。選択チャネルは、複数のチャネルから一部分のチャネルを選択したものであるが、特に、本実施形態では、選択チャネルは、通信端末装置２００が割り当てを希望する周波数チャネルを選択し、通信制御装置１００に通知する役割を果たすことができる。従って、選択チャネルは、選択可能チャネル、要求チャネル、割り当て希望チャネル、ともいう。【０１８０】
図２は、受信品質情報生成部２６０の構成の一例を示すブロック図である。図２に示すように、受信品質情報生成部２６０は、選択チャネル選択部２６１および制御情報生成部２６２を有する。選択チャネル選択部２６１は、受信品質測定部２５０から通知された受信品質に基づいて、選択チャネルを選択し、制御情報生成部２６２に通知する。図３は、複数のチャネルから選択チャネルを選択する手順（選択チャネル選択手順）の一例を示す図である。選択チャネルの選択手順は、受信品質測定部２５０で測定されたＣＩＮＲが大きい周波数チャネルから順次選択するという方法を取る。具体的には図３を用いて説明する。【０１８１】
図３中、Ｎは、選択チャネル数、Ａは、全チャネルの集合、Ｒは、選択チャネルの集合、ｔは、選択されたチャネル、ｍａｘＣＩＮＲ（Ｘ）は、チャネルの集合Ｘの中でＣＩＮＲが最大となる要素を示し、ｎは、カウンタである。選択チャネル数Ｎは、通信制御装置１００から選択可能チャネル数として予め通知され、選択チャネル選択部２６１へ通知されている。図３では、選択チャネルを決定する方法として、受信品質測定部２５０で測定されたＣＩＮＲが大きい周波数チャネルから順次選択するという方法を取る。【０１８２】
まず、選択チャネル選択部２６１は、Ｒを初期化し、ｎに初期値を設定する（ステップＳ１１）。選択チャネル選択部２６１は、チャネルの集合Ｘの中でＣＩＮＲが最大となる要素をｔとして選択し（ステップＳ１２）、ステップＳ１２の結果をＲへ設定し、ｎをカウントアップする（ステップＳ１３）。選択チャネル選択部２６１は、ｎがＮと一致するまでステップＳ１２からステップＳ１３を繰り返し、（ステップＳ１４でＮＯ）、ｎがＮと一致したら処理を終了する（ステップＳ１４でＹＥＳ）。【０１８３】
あるいは、まず前回割り当てられたチャネルのすべて、あるいは一部のチャネルを選択チャネルとして選択し、その後、選択可能チャネル数の範囲内で上記の選択方法を用いて選択チャネルを選択してもよい。【０１８４】
制御情報生成部２６２は、選択チャネル選択部２６１が選択した選択チャネル並びに受信品質に基づいて、通信制御装置１００に通知するため、選択チャネルを識別する選択チャネル番号（選択チャネルを識別する周波数チャネル番号、選択チャネル情報）、選択チャネルにおける受信品質（ＣＩＮＲ）を示す選択測定結果（選択ＣＩＮＲレベル、選択受信品質情報）、および選択チャネル以外の全ての周波数チャネルにおける受信品質を平均した平均測定結果（平均ＣＩＮＲレベル、平均受信品質情報）を含む受信品質情報を生成し、生成した受信品質情報を送信フレーム生成部２７０に送る。選択チャネル番号は、選択チャネルを識別するチャネル識別子、または、周波数チャネル番号など、選択チャネルを通信制御装置１００へ通知する情報であればよい。選択チャネル番号と、選択測定結果とは対応づけて通知される。以上が、図３に示す受信品質情報部２６０の動作である。【０１８５】
送信フレーム生成部２７０は、送信データ（上り送信データ）から送信フレームを生成する。また、受信品質情報生成部２６０で生成された受信品質情報を通信制御装置１００に通知するための制御情報を生成し、送信フレームに多重する。【０１８６】
送信フレーム生成部２７０で生成された送信フレームは、マッピング部２８０でマッピングされ、送信部２９０、アンテナ２１０を経て通信制御装置１００に送信される。【０１８７】
次に、通信制御装置１００において、通信端末装置２００が送信した送信データ（上り送信データ）を受信する流れを説明する。【０１８８】
受信部１６０は、アンテナ１５０を介して通信端末装置２００から送信データを受信する。【０１８９】
判定部１７０は、受信部１６０が受信した送信データを復調および復号処理する。また、判定部１７０は、受信品質情報通知のための制御情報をデータ部分と分離し、受信品質情報（選択チャネル番号、選択測定結果、平均測定結果）をスケジューラ部１８０に送る。【０１９０】
スケジューラ部１８０は、各通信端末装置２００から通知された受信品質情報に基づいて、すべてのチャネルにおいて、割り当てられる通信端末装置２００を選択し、各チャネルに割り当てられる通信端末装置２００とＭＣＳ情報を送信フレーム生成部１１０へ通知する。図４は、スケジューラ部１８０の構成の一例を示すブロック図である。スケジューラ部１８０は、割り当て決定部１８１とＭＣＳ選択部（変調パラメータ選択部）１８２を具備している。【０１９１】
割り当て決定部１８１は、選択測定結果に基づいて、すべてのチャネルにおいて、割り当てられる通信端末装置２００を決定する。図５は、割り当て決定部１８１の動作の一例を示すフローチャートである。割り当て決定部１８１は、各通信端末装置２００からの選択チャネルにおける選択測定結果を比較し、少なくとも一つの通信端末装置２００が選択チャネルとして選択した帯域（周波数チャネルの帯域）において、最も受信品質が高い通信端末装置２００を送信先とするデータを割り当てる（ステップＳ２１）。なお、選択チャネルに関するスケジューリングは、従来のスケジューリングと同様の手法を用いるため、様々な手法が可能である。ここでは、一例として最大ＣＩＲ法を採用したが、この他にもプロポーショナルフェアネス法などを用いることもできる。選択チャネルとして通知された帯域で割り当ててない帯域が残っている場合（ステップＳ２２でＮＯ）、ステップＳ２１を繰り返す。選択チャネルとして通知された帯域の割り当てが終了した場合（ステップＳ２２でＹＥＳ）、ステップＳ２３へ移る。【０１９２】
次に、どの通信端末装置２００からも選択チャネルとして通知されなかった周波数チャネルについては、各通信端末装置２００から通知された平均測定結果に基づいて割り当てる。割り当て手順としては、前回割り当てられた通信端末装置２００を優先的に割り当ててもよいし、ＲＲ（Ｒｏｕｎｄ  Ｒｏｂｉｎ）のように所定の通信端末装置順で任意の周波数チャネルを割り当てていってもよい（ステップＳ２３）。全帯域の割り当てが終了するまで、あるいは、すべてのデータの割り当てが終了するまで、ステップＳ２３を繰り返す（ステップＳ２４でＮＯ）。割り当て決定部１８１は、各周波数チャネルあるいは各送信データの割り当てが完了したら（ステップＳ２４でＹＥＳ）、各帯域（各周波数チャネル）への割り当てを示すスケジューリング制御情報をＭＣＳ選択部１８２並びに送信フレーム生成部１１０へ通知する（ステップＳ２５）。【０１９３】
ＭＣＳ選択部１８２は、割り当て決定部１８１から通知されたスケジューリング制御情報に従い、割り当てた各チャネルにおける割り当てた通信端末装置２００の受信品質情報に基づいて、割り当てた各通信端末装置２００に送信するデータのＭＣＳを選択し、ＭＣＳ制御情報を送信フレーム生成部１１０およびマッピング部１２０に送る。【０１９４】
ここで、具体的なデータの送受信の様子を通信制御装置１００の一例である基地局と、通信端末装置２００の一例である移動局とを用いて説明する。図６は、第１の実施形態において基地局と移動局との間のデータ送受信の一例を示すシーケンス図である。移動局は、選択チャネル数を含む制御情報などのデータを要求する（ステップＳ１０１）。基地局は、ＱｏＳ（Ｑｕａｌｉｔｙ  ｏｆ  Ｓｅｒｖｉｃｅ）調査を行ない（ステップＳ１０２）、スケジューラ部１８０が要求された送信データに基づいて（量、優先度等ＱｏＳに基づいて）選択チャネル数を決定し（ステップＳ１０３）、選択可能チャネル数を通知する（ステップＳ１０４）。移動局は、選択チャネル選択部２６１へ選択可能チャネル数を通知（設定）し（ステップＳ１０５）、受信品質測定部２５０が受信品質を測定し（ステップＳ１０６）、受信品質情報生成部２６０が選択チャネルを選択し、受信品質情報を生成する（ステップＳ１０７）。移動局は、生成した受信品質情報（選択チャネルと選択チャネルの受信品質）を基地局へ通知する（ステップＳ１０８）。【０１９５】
基地局は、スケジューラ部１８０がスケジューリングを行ない（ステップＳ１０９）、送信フレーム生成部１１０等が送信パケットを生成し（ステップＳ１１０）、生成した送信パケットを移動局へ送付する（ステップＳ１１１）。移動局は、前回通知された選択可能チャネル数（ステップＳ１０５）に基づいて、受信品質測定（ステップＳ１１２）、選択チャネルの選択（ステップＳ１１３）を行ない、受信品質情報を通知する（ステップＳ１１４）。以降の動作は上記の繰り返しとなるため説明を省略する。【０１９６】
以上、各構成要素の機能・動作について説明した。通信端末装置２００は、選択チャネルにおける受信品質情報を通信制御装置１００に通知すればよいため、全周波数チャネルの受信品質情報を通知する場合に比べ、上りリンクにおいて制御情報通知によるオーバヘッドが減少する。【０１９７】
次に、移動局（通信端末装置２００の一例）における選択チャネルの選択方法、および基地局（通信制御装置１００の一例）におけるスケジューリング方法について具体例を用いて詳説する。【０１９８】
まず、基地局におけるスケジューリング方法について説明する。図７は、移動局Ａが基地局に通知する受信品質情報の一例を示す図である。図７では、移動局Ａが２つの周波数チャネルを選択チャネルとして通知する場合における上りの受信品質情報の例を示している。選択チャネルとして選択した周波数チャネルを識別する周波数チャネル番号（チャネル識別子）であるＣｈ２とＣｈ５（選択チャネル番号）、およびそれぞれ周波数チャネルにおけるＣＩＮＲレベル（選択ＣＩＮＲレベル）である２と８、さらに平均ＣＩＮＲレベルである２という情報を通知する。ここで、ＣＩＮＲレベルは、受信品質を測定したＣＩＮＲ測定値を量子化した値である。同様にして、基地局には各移動局から受信品質情報が通知される。その様子を図８に示す。【０１９９】
図８は、基地局におけるスケジューリングの過程の一例を示す図である。図８では、基地局が、三つの移動局Ａ、移動局Ｂ、移動局Ｃから受信品質情報を通知された場合を示している。図８において、縦軸はＣＩＮＲ値（ＣＩＮＲレベルの値）を示し、横軸は周波数（周波数チャネル番号）を示す。また、図８では、異なる線種によって移動局を区別してデータを示し、実線は移動局Ａ、破線は移動局Ｂ、点線は移動局Ｃに関するデータを示す。【０２００】
図８（ａ）は各移動局から通知された選択チャネルにおけるＣＩＮＲレベル分布の一例を示している。移動局Ａは、Ｃｈ２、Ｃｈ５を選択チャネルとし、移動局Ｂは、Ｃｈ３、Ｃｈ５を選択チャネルとし、移動局Ｃは、Ｃｈ６、Ｃｈ７を選択チャネルとして通知している。Ｃｈ５は、二つの移動局Ａ、Ｂが選択している。基地局は、まず、要求された各選択チャネルにおいて、移動局への割り当てを行なう（図５のステップＳ２１、ステップＳ２２）。このとき、一つの移動局のみが要求してきた周波数チャネルはその移動局を送信先とするデータに割り当てる。また、複数の移動局が同じ周波数チャネルを要求してきた場合、基地局は、最も受信品質が良好な移動局、すなわちＣＩＮＲレベルが高い移動局を送信先とするデータにその周波数チャネルを割り当てる。あるいは、受信品質が良好な移動局に割り当てるが、その周波数チャネルに前回割り当てていた移動局を送信先とするデータを優先的に割り当てる。このような方法で周波数チャネルの割り当てを行なう。ここでは、基地局は、Ｃｈ５を移動局Ａへ割り当てている。【０２０１】
図８（ｂ）は、複数の移動局が選択チャネルとして選択した周波数チャネルの割り当てを実施した結果の一例を図８（ａ）へ追加した図である。Ｃｈ２、３、５、６、７は、割り当てが決定した周波数チャネルであり、Ｃｈ１、４、８は、割り当てが決定していない周波数チャネルである。【０２０２】
次に、どの移動局からも選択されない周波数チャネルについて割り当てを実施する（図５のステップＳ２３、ステップＳ２４）。選択されない周波数チャネルは、例えば、平均ＣＩＮＲが高い移動局を送信先とするデータを優先的に割り当てる。図８（ｃ）は、平均ＣＩＮＲが高い移動局を送信先とするデータから順次割り当てた例を図８（ｂ）へ追加した図である。図８（ｃ）は、すべての周波数チャネルの割り当てが決定した様子を示している。右側の実線、破線、点線の各矢印は、各移動局の平均ＣＩＮＲレベルの値を示している。受信品質を平均値が高い移動局は、その周波数チャネルにおける受信品質も比較的良好である可能性が高いことを考慮したものである。あるいは、選択されない周波数チャネルには、その周波数チャネルに前回割り当てていた移動局を送信先とするデータを優先的に割り当てる。前回割り当てられていた移動局は、その周波数チャネルにおける受信品質が比較的高い可能性が高いことが考えられるからである。その他、その周波数チャネルは使用しない、電力を効率的に利用できる、また、与干渉を抑制することができる、などと要素に基づいて、周波数チャネルを割り付けることができる。また、移動局へ割り当てる周波数チャネルの数は、データ量等により決定される。【０２０３】
次に、移動局における選択チャネルの選択方法について説明する。図９は、移動局Ｄが選択チャネルを選択する過程の一例を示す図である。移動局Ｄの受信品質測定部２５０は、受信品質（ＣＩＮＲ）を測定し、測定したＣＩＮＲ測定値を量子化してＣＩＮＲレベルを算出する。図９（ａ）は、ＣＩＮＲ測定値と、ＣＩＮＲレベルとを示す図である。破線は、受信品質測定部２５０がＣＩＮＲ（受信品質）を測定したＣＩＮＲ測定値を示し、実線は、ＣＩＮＲ測定値を周波数チャネル毎に量子化したＣＩＮＲレベルの値を示している。移動局Ｄにおいて受信品質情報生成部２６０の選択チャネル選択部２６１は、図９（ａ）に示すように、測定した各周波数チャネルにおけるＣＩＮＲレベルを比較することにより、選択チャネルとして選択する周波数チャネルを選択する。選択チャネル選択部２６１は、予め基地局から通知された選択可能な周波数チャネル数の範囲内で、ＣＩＮＲが良好な周波数チャネルから順次選択する。制御情報生成部２６２は、選択チャネル選択部２６１が選択した結果を用いて、選択チャネルの選択ＣＩＮＲレベル（選択測定結果）、平均ＣＩＮＲレベル（平均測定結果）を生成する。図９（ｂ）は、選択した選択チャネルのＣＩＮＲレベル（選択ＣＩＮＲレベル）と、平均ＣＩＮＲレベルの値を示す図である。実線は、選択した選択チャネルにおけるＣＩＮＲレベルの値を示し、破線は、平均ＣＩＮＲレベルの値を示している。また、制御情報生成部２６２は、受信品質情報を生成し、生成した受信品質情報は、基地局に通知される。図９（ｃ）は、上り受信品質情報の一例を示す図である。図９（ｃ）の構成要素は、図７と同様である。【０２０４】
このように、本実施形態によれば、通信端末装置は、全周波数チャネルから一部分の周波数チャネルを選択し、選択した周波数チャネルの受信品質情報を通信制御装置へ通知することができる。全周波数チャネルの受信品質情報を通知する場合に比べ、制御情報量を抑制することが可能となり、制御情報通知によるオーバヘッドを減少させることができる。また、通信端末装置において受信品質の良好な受信品質情報を通信制御装置へ通知することになるため、受信品質の良好な周波数チャネルを通信制御装置へ通知することが可能になる。通信制御装置において通信端末装置が選択した周波数チャネルへ割り当てを行なうことにより、受信品質の良好な周波数チャネルへの割り当てを可能とする。また、通信制御装置が選択可能チャネル数を通信端末装置へ通知することにより、通信制御装置側が通信状況にあわせて、通信端末装置から通知される受信品質情報量を調整することができる。【０２０５】
なお、本実施形態では、受信品質情報は、選択チャネル番号（周波数チャネル番号）、選択測定結果、および平均測定結果を含む場合を説明したが、受信品質情報は、少なくとも選択測定結果を含む情報であればよい。また、平均測定結果は、選択チャネル以外の全ての周波数チャネルにおける受信品質を平均して算出したが、選択チャネルを含むすべての周波数チャネルの受信品質を平均した値を用いてもよい。【０２０６】
（第２の実施形態）
第２の実施形態では、通信制御装置から通信端末装置へ、前回の受信品質情報を通知する一態様について説明する。本実施形態のＯＦＤＭＡシステムは、図１と同様の構成を用いる。以下に、第１の実施形態と異なる点を中心に説明する。図１と同じ符号、名称を付した構成要素は、同様の機能を有する。【０２０７】
通信制御装置１００において、送信フレーム生成部１１０は、スケジューラ部１８０から通知されたスケジューリング制御情報に従い送信データから送信フレームを生成する。このとき、スケジューラ部から通知されたＭＣＳ情報に従いチャネル符号化を行なう。また、ＭＣＳ制御情報を通信端末装置２００に通知するための制御データに加え、スケジューリング制御情報を通信端末装置２００に通知するための制御データ、および、各通信端末装置２００へ割り当てた周波数チャネルにおける受信品質情報（割り当て測定結果、割り当てＣＩＮＲレベル）を各通信端末装置２００に通知する制御データを生成し、送信フレームに多重する。割り当て測定結果は、複数のチャネルそれぞれについて、各チャネルへ割り当てた通信端末装置が測定した受信品質測定結果である。【０２０８】
マッピング部１２０は、スケジューラ部１８０から通知されたＭＣＳ制御情報に従い、送信フレームのマッピングを行なう。【０２０９】
ＩＦＦＴ部１３０は、マッピング部１２０で生成された変調シンボル列を逆高速フーリエ変換することによりＯＦＤＭ信号を生成し、ＯＦＤＭ信号が送信部１４０を経て送信される。【０２１０】
通信端末装置２００は、通信制御装置１００から送信されたＯＦＤＭ信号を受信部２２０において受信し、ＦＦＴ部２３０において各サブキャリアの変調シンボルに変換された後、判定部２４０において復調および復号化される。このとき、判定部２４０は、まずＭＣＳ情報およびスケジューリング制御情報を判定し、これら制御情報に従ってデータ部分を判定する。判定された受信信号（ＳＮＲなど干渉成分を推定する必要が無い場合は、判定前の信号でもよい）は、受信品質測定部２５０に送られる。受信品質測定部２５０は、受信信号に基づいて受信品質（ＣＩＮＲ）を測定し、測定した受信品質測定結果を受信品質情報生成部２６０へ通知する。また、判定部２４０は、基地局から通知された各通信端末装置へ割り当てた周波数チャネルにおける受信品質情報を通知する制御データ（割り当て測定結果）を分離し、受信品質情報生成部２６０に送る。【０２１１】
次に、受信品質情報生成部２６０について説明する。図１０は、本実施形態の受信品質情報生成部２６０の構成の一例を示すブロック図である。受信品質情報生成部は、図１０に示すように、図２で示した選択チャネル選択部２６１および制御情報生成部２６２に加え、受信品質差算出部２６３を更に有する。【０２１２】
受信品質差算出部２６３は、情報制御装置１００から通知された割り当て測定結果と、受信品質測定部２５０が測定した受信品質測定結果（ＣＩＮＲレベル）とを比較して、各チャネルにおける受信品質差（ＣＩＮＲ差）を算出し、選択チャネル選択部２６１に通知する。例えば、受信品質差算出部２６３は、測定した受信品質測定結果と割り当て測定結果との差分、または、測定した受信品質測定結果と割り当て測定結果との比率のいずれか一方を受信品質差として算出する。具体的には、自己が測定した受信品質測定結果から割り当て測定結果を減算した差分を受信品質差としてもよい。また、自己が測定した受信品質測定結果を割り当て測定結果で除算した比率を受信品質差としてもよい。受信品質差算出部２６３は、割り当て測定結果に比べ、自己が測定した受信品質測定結果が示す受信品質がどのくらい良いか、あるいは、悪いかの相対値を受信品質差として算出する方法であれば他の算出方法であってもかまわない。【０２１３】
選択チャネル選択部２６１は、受信品質差算出部２６３から通知された受信品質差に基づいて、選択チャネルを選択し、制御情報生成部２６２に通知する。例えば、選択チャネル選択部２６１は、受信品質差が大きい（自己の受信品質測定結果が良好なもの）から選択可能チャネル数のチャネルを選択チャネルとして選択する。あるいは、選択チャネル選択部２６１は、算出した受信品質差が所定の閾値より大きいチャネルを選択チャネルとして選択する。また、受信品質差が所定の閾値より大きいチャネルのうち、前回自己へ割り当てられたチャネルを優先して選択チャネルとして選択する。選択チャネル選択部２６１は、選択チャネルと、選択チャネルにおける受信品質を示す選択測定結果（選択ＣＩＮＲレベル）、および、受信品質を平均した平均測定結果（平均ＣＩＮＲレベル）を制御情報生成部２６２に送る。【０２１４】
制御情報生成部２６２は、通信制御装置１００に通知する選択した選択チャネル番号、選択チャネルにおける選択測定結果、および平均測定結果を含む受信品質情報を生成し、送信フレーム生成部２７０に送る。【０２１５】
送信フレーム生成部２７０は、送信データから送信フレームを生成する。また、受信品質情報生成部２６０で生成された受信品質情報を通信制御装置１００に通知するための制御情報を生成し、送信フレームに多重する（異なるチャネルで基地局に通知してもよい。また、通知用シンボルをマッピング後に多重してもよい）。【０２１６】
送信フレーム生成部２７０で生成された送信フレームは、マッピング部２８０でマッピングされ、送信部２９０を経て通信制御装置１００に送信される。【０２１７】
通信制御装置１００は、通信端末装置２００から送信された送信データ（信号）を受信部１６０において受信し、判定部１７０において復調および復号化する。【０２１８】
判定部１７０では、受信品質情報を通知するための制御情報をデータ部分と分離し、受信品質情報（選択チャネル番号、選択測定結果、平均測定結果）をスケジューラ部１８０に送る。【０２１９】
次に、スケジューラ部１８０について説明する。図１１は、本実施形態のスケジューラ部１８０の構成の一例を示すブロック図である。図４のブロック部に比べデータの流れが異なっている。スケジューラ部１８０は、割り当て決定部１８１とＭＣＳ選択部１８２を具備している。【０２２０】
割り当て決定部１８１は、第１の実施形態と同様に、図５のステップＳ２１からステップＳ２４の各ステップを実施する。割り当て決定部１８１は、すべての周波数チャネルを割り当てが完了したら（ステップＳ２４でＹＥＳ）、スケジューリング制御情報をＭＣＳ選択部１８２および送信フレーム生成部１１０に通知する（ステップＳ２５）。さらに、割り当て決定部１８１は、すべての周波数チャネルについて、各周波数チャネルに割り当てられた通信端末装置が通信制御装置へ通知した受信品質情報を割り当て測定結果として送信フレーム生成部１１０へ通知する。割り当て測定結果は、各チャネルに割り当てられた通信端末装置が通信制御装置へ通知した受信品質測定結果（ＣＩＮＲレベル）である。【０２２１】
ＭＣＳ選択部１８２は、割り当て決定部１８１から通知されたスケジューリング制御情報に従い、割り当てた各周波数チャネルにおける割り当てた通信端末装置２００の受信品質情報に基づいて、割り当てた各通信端末装置２００に送信するデータのＭＣＳを選択し、ＭＣＳ制御情報を送信フレーム生成部１１０およびマッピング部１２０に送る。【０２２２】
次に、移動局（通信端末装置２００の一例）における選択チャネル選択方法について具体例を用いて詳説する。なお、基地局（通信制御装置１００の一例）におけるスケジューリング方法については、第１の実施形態に挙げた方法と同様の手法を用いることができる。【０２２３】
基地局において割り当てが決定すると、スケジューラ部１８０の割り当て決定部１８１は、割り当てられた周波数チャネルにおけるＣＩＮＲ情報（割り当てＣＩＮＲ情報）を作成する。割り当てＣＩＮＲ情報は、割り当て測定結果の一例である。基地局から移動局へ通知する、割り当てられた周波数チャネルにおけるＣＩＮＲ情報の内容の一例を図１２に示す。各周波数チャネルにおけるＣＩＮＲレベルの情報が基地局から各移動局に通知される。移動局Ｅが割り当てＣＩＮＲ情報を用いて選択チャネルを選択する過程の一例を図１３に示す。【０２２４】
図１３（ａ）は、ＣＩＮＲ測定値と、ＣＩＮＲレベルとを示す図である。破線は、受信品質測定部２５０がＣＩＮＲ（受信品質）を測定したＣＩＮＲ測定値を示し、実線は、ＣＩＮＲ測定値を周波数チャネル毎に量子化したＣＩＮＲレベルの値を示している。１３（ｂ）は、複数の移動局に割り当てられた周波数チャネルにおけるＣＩＮＲ情報の一例を示す図である。実線は、移動局Ｅに割り当てられた周波数チャネルのＣＩＮＲレベルの値を示し、点線は、移動局Ｅ以外の移動局に割り当てられた周波数チャネルのＣＩＮＲレベルの値を示している。移動局Ｅは、Ｃｈ２、Ｃｈ５、Ｃｈ８の周波数チャネルが移動局Ｅに割り当てられ、他の周波数チャネルは、他の移動局に割り当てられている。【０２２５】
移動局Ｅでは、受信品質情報生成部２６０において、図１３（ｂ）に示す基地局から通知された各周波数チャネルにおけるＣＩＮＲレベルの情報と、図１３（ａ）に示す測定した各周波数チャネルにおけるＣＩＮＲレベルとを比較し、選択チャネルを選択する。図１４は、本実施の形態の選択チャネルを選択する動作の一例を示すフローチャートである。図１４の動作では、選択チャネルの数（選択可能チャネル数）Ｎは、予め決められていることを前提とする。【０２２６】
受信品質差算出部２６３は、各周波数チャネルそれぞれについて、移動局ＥのＣＩＮＲレベルの値から割り当てＣＩＮＲレベルの値を差し引いたＣＩＮＲ差を算出する（ステップＳ３１）。選択チャネル選択部２６１は、受信品質差算出部２６３がＣＩＮＲ差に基づいて、前回自己に割り当てられたチャネルでステップＳ３３以降のステップの判断をしていない周波数チャネルを抽出し（ステップＳ３２でＹＥＳ）、抽出した周波数チャネルにおけるＣＩＮＲ差が最も高い（すなわち、ＣＩＮＲレベルが前回に比べ最も上昇している）周波数チャネルを選択する（ステップＳ３３）。選択した周波数チャネルにおけるＣＩＮＲ差の値が一定レベルより大きい場合（ステップＳ３４でＹＥＳ）、選択する周波数チャネルを追加する（ステップＳ３５）。選択した周波数チャネルにおけるＣＩＮＲ差が一定レベル以下の場合（ステップＳ３４でＮＯ）、ステップＳ３７へ進む。選択した周波数チャネル数が制限値ＮになるまでステップＳ３２からステップＳ３６を繰り返し、ステップＳ３２で前回割り当てられた周波数チャネルでステップＳ３３以降のステップの判断をしていない周波数チャネルがなくなった場合（ステップＳ３２でＮＯ）は、ステップＳ３７へ移行する。【０２２７】
次に、選択チャネル選択部２６１は、前回割り当てられていない周波数チャネルの内、ＣＩＮＲ差が最も高い（すなわち、他の移動局のＣＩＮＲレベルから自己のＣＩＮＲレベルを差し引いた値が最も大きい）周波数チャネルを選択し（ステップＳ３７）、選択する周波数チャネルに追加する（ステップＳ３８）。周波数チャネル数が制限値Ｎになるまで、ステップＳ３７からステップＳ３９を繰り返す。ステップＳ３６あるいは、ステップＳ３９で選択した周波数チャネル数が制限値Ｎに到達した場合（ステップＳ３６でＹＥＳ、ステップＳ３９でＹＥＳ）は、処理を終了する。【０２２８】
図１４では、ステップＳ３２からステップＳ３６は、前回割り当てられた周波数チャネルに関する処理であり、ステップＳ３７からステップＳ３９は、前回割り当てられなかった周波数チャネルに関する処理である。このように、前回割り当てられた（あるいは選択した）周波数チャネルを優先的に選択する。【０２２９】
図１３（ｃ）は、前回割り当てられた周波数チャネルのＣＩＮＲ差の値を示す図であり、図１３（ｄ）は、前回割り当てられなかった周波数チャネルのＣＩＮＲ差の値を示す図である。図１３（ｃ）において、破線は、所定（一定）レベルの値を示している。【０２３０】
図１３（ｃ）に示すように、前回割り当てられた（あるいは選択した）周波数チャネルにおいて、ＣＩＮＲ差の値がある所定（一定）のレベルより大きい場合、その周波数チャネルを再び選択する（図１４のステップＳ３４）。このとき、図１４のステップＳ３３でＣＩＮＲ差が大きいものから選択することなり、図１３（ｃ）では、Ｃｈ５がまず選択される。また、Ｃｈ２、Ｃｈ８は、ＣＩＮＲ差の値が所定のレベル以下であるため、選択されない。【０２３１】
図１３（ｄ）に示すように、前回割り当てられていない周波数チャネルにおいて、ＣＩＮＲ測定値に基づくＣＩＮＲレベルと、基地局から割り当てＣＩＮＲ情報として通知されたＣＩＮＲレベルとの差を各周波数チャネルにおいてＣＩＮＲ差として算出し、ＣＩＮＲ差の大きい周波数チャネルから順番に選択する。図１３（ｄ）では、Ｃｈ６、Ｃｈ１の順に選択される。周波数チャネルの制限値Ｎを２とすると、Ｃｈ５、Ｃｈ６の順に選択されることになる。【０２３２】
以上のように、前回割り当てられた周波数チャネルを考慮することにより、選択チャネルが、通信制御装置１００への通知のタイミング毎に切り替わる事を抑制することができるため、通信制御装置１００の負荷を軽減することができる。一方、前回割り当てられたかどうかを考慮せずに、ＣＩＮＲ差が最も高い周波数チャネルから順番に選択チャネルに追加するという方法を用いることもできる。このとき、通信制御装置の負荷は増大するが、前回割り当てられた周波数チャネルを考慮する方法に比べて、伝送レートは向上する。【０２３３】
このように、本実施形態では、通信端末装置は、選択する周波数チャネルにおける受信品質情報のみを通信制御装置に通知すればよいため、上りリンクにおいて制御情報通知によるオーバヘッドが減少する。また、通信制御装置１００は通信端末装置２００に割り当てられた周波数チャネルにおける受信品質情報を通知し、通信端末装置２００は通知された受信品質情報と測定した受信品質情報とを比較して、割り当てられる可能性が高い周波数チャネルを通信制御装置に対して要求するため、制御情報を効率的に削減することができる。【０２３４】
（第３の実施形態）
第３の実施形態では、通信制御装置において割り当て変更候補チャネルを選定し、割り当て変更候補チャネルにおける受信品質情報を通信端末装置に通知する一態様について説明する。【０２３５】
図１５は、第３の実施形態のＯＦＤＭＡシステムの構成例を示すブロック図である。図１５に示すＯＦＭＤＡシステムは、通信制御装置３００と通信端末装置２００から構成され、図１の構成要素に加え、通信制御装置３００へ割り当て変更候補チャネル選定部３１０が追加されている。以下に、図１と異なる部分を中心に説明し、図１と同じ符号、名称を付した構成要素は、同様の機能を有するため、説明を省略する。【０２３６】
スケジューラ部１８０は、図１１に示すデータの流れの動作を行ない、割り当て測定結果を送信フレーム生成部１１０に通知するとともに、割り当て変更候補チャネル選択部３１０へも通知する。【０２３７】
割り当て変更候補チャネル選定部３１０は、スケジューラ部１８０から通知された割り当て測定結果に基づいて、割り当てを変更することが好ましい（望まれる）チャネル（割り当て変更候補チャネル）を選定する。割り当て測定結果は、各チャネルに割り付けられた通信端末装置２００が通信制御装置３００へ通知した受信品質測定結果（ＣＩＮＲレベル）である。具体的には次のようにして、ＣＩＮＲレベルに基づいて判断し、変更候補チャネルを選定する。【０２３８】
割り当て変更候補チャネル選定部３１０は、予め設定されたＣＩＮＲレベルの閾値、または、予め設定された割り当て変更候補チャネルのチャネル数制限値、あるいはその両方を用いて、次に挙げるいずれかの方法により割り当て変更候補チャネルを選定する。閾値、チャネル数制限値は、割り当て変更候補チャネル選定部３１０が内部の記憶領域に保持しているものとする。（１）ＣＩＮＲレベルが閾値よりも低い周波数チャネルを選定、（２）ＣＩＮＲレベルが低い周波数チャネルを、チャネル数制限値だけ順次選定、（３）ＣＩＮＲレベルが閾値よりも低いチャネルを割り当て変更候補チャネルに選定し、ＣＩＮＲレベルが閾値よりも低いチャネル数がチャネル数制限値より少ない場合は、ＣＩＮＲレベルが低いチャネルからチャネル数制限値だけ順次選定。割り当て変更候補チャネル選定部３１０は、選定した割り当て変更候補チャネルを識別する割り当て変更候補チャネル番号（周波数チャネル番号、割り当て変更候補チャネル情報）と、選定した割り当て変更候補チャネルにおける受信品質測定結果（ＣＩＮＲレベル）を送信フレーム生成部１１０に送る。【０２３９】
送信フレーム生成部１１０では、割り当て変更候補チャネル選定部３１０から送られた情報に基づいて、割り当て変更候補チャネル番号と割り当て変更候補チャネルにおける受信品質測定結果を通信端末装置２００に通知するための制御情報を生成し、送信フレームに多重する。【０２４０】
受信品質情報生成部２６０は、通信制御装置３００から通知された割り当て変更候補チャネルにおける受信品質測定結果（前回自己を含むいずれかの通信端末装置が測定したＣＩＮＲレベル）と、自己が測定した割り当て変更候補チャネルにおける受信品質測定結果（今回自己が測定したＣＩＮＲレベル）を比較することにより、割り当て変更候補チャネルの割り当てを選択（要求、希望）するか否かを判定する。このとき、選択チャネルの選択方法は、割り当て変更候補チャネルの中から選択するという点を除いて、第２の実施形態で図１４に挙げた選択方法を用いることができる。図１４のステップＳ３１において、全周波数チャネルにおけるＣＩＮＲ差の算出の工程を、通信制御装置３００から通知された割り当て変更候補チャネルにおけるＣＩＮＲ差の算出へ変更することにより、図１４と同様の選択方法を適用することが可能となる。受信品質情報生成部２６０は、上記判定を行ない、上記判定結果を含む受信品質情報を生成する。【０２４１】
受信品質情報生成部２６０は、生成した受信品質情報を送信フレーム生成部２７０へ通知し、送信フレーム生成部２７０は、通信制御装置３００へ受信品質情報を通知するための制御情報を生成する。【０２４２】
このとき、受信品質情報生成部２６０（制御情報生成部２６２）は、割り当て変更候補チャネルから選択した選択チャネルを示す情報（選択チャネル番号）、および選択チャネルにおける受信品質測定結果（選択測定結果、選択ＣＩＮＲレベル）に加えて、通信端末装置２００に前回割り当てられた周波数チャネルにおける受信品質測定結果（前回選択測定結果、前回選択ＣＩＮＲレベル）を含む受信品質情報を生成してもよい。【０２４３】
このように、本実施形態では、通信制御装置から割り当て変更候補チャネルに関する情報を通信端末装置に通知することができる。また、通信端末装置は、通知された割り当て変更候補チャネルの中から割り当てを希望する周波数チャネルを選択し、選択チャネルとして通信制御装置へ通知することができる。変更候補チャネルから選択チャネルを選択することにより、システム全体で受信品質に応じた割り当てが可能になる。また、これにより、下りの制御情報量並びに上りの制御情報量を抑制することができる。従って、下りリンクおよび上りリンクにおける制御情報量を抑えつつ、効率的なスケジューリングを行なうことができる。【０２４４】
（第４の実施形態）
上記各実施形態では、通信端末装置は、選択チャネルとして受信品質が良好な周波数チャネルを通信制御装置へ通知した。第４の実施形態では、受信品質が悪い周波数チャネル（割り当て拒否チャネル）を通知する一態様について説明する。割り当て拒否チャネルは、通信端末装置が割り当てを拒否する周波数チャネルである。図１６は、移動局Ｆが選択チャネルと割り当て拒否チャネルを選択する過程の一例を図である。図１６（ａ）は、ＣＩＮＲ測定値とＣＩＮＲレベルとを示す図である。破線は、ＣＩＮＲ測定値を示し、実線は、ＣＩＮＲレベルの値を示している。図１６（ｂ）は、選択チャネルと割り当て拒否チャネルとを示す図である。実線は、選択チャネルを示し、点線は、割り当て拒否チャネルを示している。図１６（ｃ）は、受信品質情報の一例を示す図である。図１６（ｃ）に示すように、選択する周波数チャネル番号（選択チャネル番号）と、選択する周波数チャネルにおける選択受信品質情報に加えて、割り当てを拒否するチャネルを識別する割り当て拒否チャネル番号（割り当て拒否チャネル情報）、すなわち受信品質が劣悪な周波数チャネルに関する情報も通知する。また、図１６（ｃ）には、平均測定結果が記載されていないが、平均測定結果を加えてもよい。【０２４５】
割り当て拒否チャネルは、選択チャネル選択部２６１が選択チャネルを選択するときに行なうことができる。割り当て拒否するチャネルの選択方法としては、予め、割り当て拒否チャネルとして選択できる周波数チャネル数（拒否数Ｍ）を取り決めておき、拒否数Ｍの範囲内で受信品質測定結果（ＣＩＮＲレベル）が低い周波数チャネルから順に選択する方法がある。拒否数Ｍは、通信制御装置から通知される場合、通信端末装置が設定する場合、予め決められた数値を保持している場合等がある。また、受信品質測定結果（ＣＩＮＲレベル）が予め設定された一定レベル未満となる周波数チャネルを選択する方法であってもよい。このとき、一定レベルは予め設定した値に固定してもよいし、パケット誤りなどの通信品質に応じて変更するようにしてもよい。さらに、受信品質測定結果を用いて判断する方法であればその他の方法であってもよい。【０２４６】
通信制御装置の割り当て決定部１８１は、通信端末装置が割り当てを拒否した周波数チャネルを、その通信端末装置を送信先とするデータに割り当てないようにスケジューリングを行なう。【０２４７】
このように、本実施形態では、通信端末装置が割り当てを拒否する周波数チャネルを通信制御装置へ通知するため、通信端末装置において、受信品質が極端に悪い周波数チャネルへ割り当てられることを回避することができる。上記各実施形態では、通信制御装置は、選択チャネルを割り当てられない場合、平均受信品質情報（平均ＣＩＮＲレベル）を指標として割り当てが行われるため、平均ＣＩＮＲレベルと比べてＣＩＮＲレベルが極端に落ち込んでいる周波数チャネルを割り当てられる可能性がある。本実施形態では、割り当てを希望する周波数チャネル（選択チャネル）と共に、割り当て拒否チャネル（割り当てを拒否するチャネル）を通知することにより、ＣＩＮＲレベルが極端に劣悪な周波数チャネルを割り当てられることを避けるため、より効率的なスケジューリングが可能となる。【０２４８】
（第５の実施形態）
第５の実施形態では、受信品質情報に加え、ＱｏＳ（Ｑｕａｌｉｔｙ  ｏｆ  Ｓｅｒｖｉｃｅ）を考慮したスケジューリングの一態様について説明する。本実施形態では、ＱｏＳの例として、実時間（ＲＴ：Ｒｅａｌ  Ｔｉｍｅ）と非実時間（ＮＲＴ：Ｎｏｎ  Ｒｅａｌ  Ｔｉｍｅ）の２つのクラスを用いて説明するが、これは一例であり、ＱｏＳの意味を限定するものではない。また、本実施形態では、図１と同様のＯＦＤＭＡシステムを用いて説明するが、上記各実施形態に適用することができる。【０２４９】
図１７に本実施形態のスケジューリングの一例を示すフローチャートを示す。スケジューラ部１８０は、図４と同様の内部ブロックを有する。スケジューラ部１８０は、各周波数チャネルに割り当てるデータのＱｏＳを監視し、割り当てるデータがＲＴであるかＮＲＴであるかを判断する。図１７に示すように、スケジューラ部１８０は、ＲＴクラスのデータから優先的にチャネルを割り当てて（ステップＳ４１）、すべてのＲＴクラスのデータに対してチャネルの割り当てが終わったのち（ステップＳ４２でＹＥＳ）、残りのチャネルに対してＮＲＴクラスのデータを割り当てていく（ステップＳ４３）。このとき、ＲＴクラスの複数のデータあるいはＮＲＴクラスの複数のデータにおけるスケジューリングの方法は、第１の実施形態で説明した方法と同様の手法を用いることができる。すなわち、通信端末装置２００から選択された周波数チャネルにおいては、通信端末装置２００から通知された選択チャネルにおける選択測定結果（選択ＣＩＮＲレベル）に基づいて割り当て、どの通信端末装置からも選択されなかった周波数チャネルにおいては、通信端末装置２００から通知された平均測定結果（平均ＣＩＮＲレベル）に基づいて割り当てる。【０２５０】
このように、本実施形態では、ＲＴクラスのデータに優先的にチャネルを割り当てるため、遅延時間要求を満たすことができる。これにより、送信データに要求されるＱｏＳに応じて、スケジューリングを実施することが可能になる。【０２５１】
（第６の実施形態）
第６の実施形態では、ＱｏＳを考慮した選択チャネルの選択方法の一態様について説明する。本実施形態では、ＱｏＳの例として、高優先度と低優先度の２つのクラスを設定し、二つのクラスを用いて説明するが、これは一例であり、ＱｏＳの意味を限定するものではない。例えば、２以上のクラスを設定してもよし、優先度以外の要素を用いてもよい。本実施形態では、図１と同様のＯＦＤＭＡシステムを用いて説明するが、上記各実施形態に適用することができる。【０２５２】
通信制御装置１００のスケジューラ部１８０は、通信端末装置２００に送信するデータのＱｏＳから、各データに対する選択チャネルとして選択可能な周波数チャネル数を決定し、通信端末装置２００に通知する。例えば、高優先度のデータに対しては選択可能な周波数チャネル数は３であり、低優先度のデータに対する要求可能な周波数チャネル数は１であるというように設定する。【０２５３】
通信端末装置２００は、通信制御装置１００に対して周波数チャネルを要求する際に、通信制御装置１００から通知された周波数チャネル数の範囲内で、周波数チャネルを選択する。その際、第１の実施形態で説明したように、受信品質測定結果が良好なチャネルを選択可能な周波数チャネル数の範囲内で選択してもよい。【０２５４】
このように、本実施形態では、優先度の高いデータに割り当てられるチャネル数が、優先度の低いデータに割り当てられるチャネル数に比べて相対的に多くなるため、ＱｏＳを満足させることができる。【０２５５】
なお、本実施形態では、優先度を二つのクラスに設定した例を説明したが、ＱｏＳ（例えば優先度）に応じて、選択可能チャネル数を設定する場合であれば本実施形態を適用することができる。例えば、ＱｏＳの他の要素、あるいは、ＱｏＳを多段階に分けて、段階別（レベル別）に選択可能チャネル数を設定するなどの場合が考えられる。【０２５６】
（第７の実施形態）
第７の実施形態では、通信端末装置が選択チャネルとして通知する周波数チャネル数を、通信制御装置において制御して通信端末装置へ通知する一態様について説明する。【０２５７】
上記各実施形態では、図６に示すように通信端末装置からデータの要求を行ない（ステップＳ１０１）、通信制御装置は、選択可能チャネル数を通知し（ステップＳ１０４）、通信端末装置は、通知された選択可能チャネル数の周波数チャネルを選択して選択チャネルとして選択測定結果とともに通信制御装置へ通知していた（ステップＳ１０５からステップＳ１０８）。本実施形態では、通信制御装置は、通信状況に基づいて統計処理を行ない、選択可能チャネル数を制御する。【０２５８】
図１８は、第７の実施形態のＯＦＤＭＡシステムの構成例を示すブロック図である。図１８に示すＯＦＤＭＡシステムは、通信制御装置４００と通信端末装置２００とから構成され、図１の構成に加え、通信制御装置４００へ統計処理部４１０が追加されている。以下に、図１と異なる部分を中心に説明し、図１と同じ符号、名称を付した構成要素は、同様の機能を有するため、説明を省略する。【０２５９】
統計処理部４１０は、通信端末装置２００が選択した選択チャネルの数と、スケジューラ部１８０がスケジューリングにより割り当てたチャネルとに基づいて統計処理を行なう。前記スケジューラ部１８０によって各通信端末装置２００へ割り当てられたチャネルの数と、各通信端末装置から通知された選択チャネルの数と基づいて、具体的には、統計処理部４１０は、複数の通信端末装置２００それぞれについて、選択チャネルの数に対する割り当てられたチャネルの数の割合が大きい通信端末装置２００について選択可能チャネル数を増加させるように変更し、選択チャネルの数に対する割り当てられたチャネルの数の割合が小さい通信端末装置２００について選択可能チャネル数を減少させるように変更する。【０２６０】
図１９は、統計処理部４１０の構成の一例を示すブロック図である。図１９に示すように、統計処理部４１０は、割合演算部４１１、選択可能チャネル数制御部４１２、および、閾値記憶部４１３を有する。【０２６１】
割合演算部４１１は、通信端末装置２００が選択した選択チャネルのうち、割り当てられたチャネル数と、通信端末装置２００へ割り当てられたチャネル数との割合を演算する。【０２６２】
選択可能チャネル数制御部４１２は、割合演算部４１１が演算した演算結果に基づいて、選択可能チャネル数を制御（調整）する。【０２６３】
閾値記憶部４１３は、選択可能チャネル数制御部４１２が用いる閾値を記憶する記憶領域である。閾値は、閾値記憶部４１３へ予め記憶されている。また、閾値は、統計処理部４１０（割合演算部４１１あるいは選択可能チャネル数制御部４１２）が演算結果に基づいて変更してもよい。【０２６４】
また、通信制御装置４００において、スケジューラ部１８０（割り当て決定部１８１）は、スケジューリング制御情報を割合演算部４１１へ通知する。また、判断部１７０は、受信品質情報のうち、選択チャネル番号（選択チャネルの周波数チャネル番号）を割合演算部４１１へ通知する。【０２６５】
図２０は、統計処理部４１０の動作の一例を示すフローチャートである。図２０を用いて割合演算部４１１と選択可能チャネル数制御部４１２の動作を説明する。図２０では、選択可能チャネル数Ｎ、割り当てられたチャネル数Ｎａｌｌｏｃ、割り当てられたチャネルの集合Ｘａｌｌｏｃ、選択チャネル数Ｎｒｅｑ、選択チャネルの集合のｎ番目の要素ｒｎ、第１の閾値Ｄ１、第２の閾値Ｄ２、演算結果ｄ、カウンタｎ、ｋを用いる。ｎは、選択チャネルの集合ｒｎの番号を示す変数、ｋは、選択チャネルのうち、通信端末装置２００へ割り当てられたチャネル数をカウントする変数である。第１の閾値Ｄ１、第２の閾値Ｄ２は、演算結果を判断する閾値（演算結果閾値）である。【０２６６】
割合演算部４１１は、カウンタｎ、ｋを初期化し、スケジューリング制御情報に基づいて、各通信端末装置２００を送信先とする送信データに割り当てられたチャネル数Ｎａｌｌｏｃ、割り当てられたチャネルの集合Ｘａｌｌｏｃを抽出する（ステップＳ５１）。割り当てられたチャネルの集合Ｘａｌｌｏｃと選択チャネルの集合のｎ番目の要素ｒｎとを順番に比較して、選択チャネルの集合のうち、通信端末装置２００へ割り当てられたチャネル数ｋをカウントする（ステップＳ５２からステップＳ５５）。これにより、各通信端末装置２００が選択した周波数チャネル（選択チャネル）のうち、割り当てられたチャネル数ｋを抽出することになる。【０２６７】
次に、割合演算部４１１は、割り当てられたチャネル数ｋを、割り当てられたチャネル数Ｎａｌｌｏｃで割った割合を演算結果ｄとして算出し、割合演算部４１１は、演算結果ｄを選択可能チャネル数制御部４１２に通知する（ステップＳ５６）。【０２６８】
選択可能チャネル数制御部４１２は、閾値記憶部４１３から閾値Ｄ１、Ｄ２を読み出し、演算結果ｄが第１の閾値Ｄ１より大きく（ステップＳ５７でＹＥＳ）、演算結果ｄが第２の閾値Ｄ２より小さい（ステップＳ５８でＹＥＳ）場合は選択可能チャネル数Ｎの値を維持する。演算結果ｄが第１の閾値Ｄ１以下（ステップＳ５７でＮＯ）の場合、選択可能チャネル数Ｎを１加算する（ステップＳ５９）。演算結果ｄが第２の閾値Ｄ２以上（ステップＳ５８でＮＯ）場合、選択可能チャネル数Ｎを１減算する（ステップＳ６０）。決定した選択可能チャネル数Ｎを選択可能チャネル数制御情報として送信フレーム生成部１１０に送る。加算あるいは減算する数値１は一例であり、その他の数値であってもよく、閾値との差分により、加算あるいは減算する数値を変更してもよい。【０２６９】
送信フレーム生成部１１０は、統計処理部から通知された選択可能チャネル数制御情報に基づいて、選択可能チャネル数を変更する場合は、通信端末装置２００に選択可能チャネル数を変更することを通知するための制御情報を生成し、送信フレームに多重する。【０２７０】
通信端末装置２００は、選択可能チャネル数を変更することを通知するための制御情報を受信すると、選択可能チャネル数を変更することを通知するための制御情報に基づいて、選択可能チャネル数を再設定する。【０２７１】
図２１は、基地局（通信制御装置４００の一例）と移動局（通信端末装置２００の一例）との間のデータ送受信の一例を示すシーケンス図である。【０２７２】
移動局は、選択チャネル数を含む制御情報などのデータを要求する（ステップＳ７０１）。基地局は、ＱｏＳ調査を行ない（ステップＳ７０２）、統計処理部４１０において選択可能チャネル数を決定し（ステップＳ７０３）、選択可能チャネル数を通知する（ステップＳ７０４）。移動局は、選択チャネル選択部２６１へ選択可能チャネル数を通知（設定）し（７０５）、受信品質測定部２５０が受信品質を測定し（ステップＳ７０６）、受信品質情報生成部２６０が選択チャネルを選択し、受信品質情報を生成する（ステップＳ７０７）。移動局は、生成した受信品質情報（選択チャネルと選択チャネルの受信品質）を基地局へ通知する（ステップＳ７０８）。【０２７３】
基地局は、スケジューラ部１８０がスケジューリングを行ない（ステップＳ７０９）、統計処理部４１０が統計処理を行ない（ステップＳ７１０）、送信フレーム生成部１１０等が送信パケットを生成し（ステップＳ７１１）、生成した送信パケットを移動局へ送付する（ステップＳ７１２）。移動局は、前回通知された選択可能チャネル数（ステップＳ７０５）に基づいて、受信品質測定（ステップＳ７１３）、選択チャネルの選択（７１４）を行ない、受信品質情報を通知する（ステップＳ７１５）。【０２７４】
基地局は、スケジューリング（ステップＳ７１６）、統計処理（ステップＳ７１７）を実施し、統計処理（ステップＳ７１７）において選択可能チャネル数に変更が生じると（ステップＳ７１８）、選択可能チャネル変更情報を含む送信パケットを生成し（ステップＳ７１９）、パケットを移動局へ送付する（ステップＳ７２０）。移動局は、更新された選択可能チャネル数を選択チャネル選択部２６１へ通知し（ステップＳ７２１）、受信品質測定を行ない（ステップＳ７２２）、更新された選択可能チャネル数を用いて、選択チャネルを選択し（ステップＳ７２３）、受信品質情報を送付する（ステップＳ７２４）。以降の動作は上記の繰り返しとなるため説明を省略する。【０２７５】
このように、本実施形態では、スケジューリングに用いる通信端末装置からの受信品質情報量を適応的に制御することができるため、スケジューリングに用いられる可能性が少ない受信品質情報量を抑制することが可能になる。これにより、スケジューリングの効率を保持しつつ、上りリンクの制御情報によるオーバヘッドを軽減することができる。【０２７６】
なお、図２１で示した割合演算部４１１の演算方法は一例であり、他の演算方法であってもよい。例えば、演算結果ｄは、選択チャネル数Ｎｒｅｑを割り当てられたチャネル数Ｎａｌｌｏｃ、で割った値でもよい。また、割合演算部４１１は、過去複数回分のスケジューリング制御情報、選択チャネル番号、あるいは、演算結果の少なくともいずれか一つ、または、いずれかの組み合わせの情報を保持し、過去複数回分の情報も考慮して演算結果を算出してもよい。【０２７７】
また、本実施形態の統計処理部４１０を図１５に示す通信制御装置３００へ適用することも可能である。さらに、第４の実施形態で説明した割り当て拒否チャネルの数を変更する場合に、本実施形態の統計処理部を流用して、数を変更することも可能である。【０２７８】
（第８の実施形態）
第８の実施形態では、通信端末装置が受信品質としてＭＣＳ情報などの伝送レートに関連する情報を通信制御装置へ通知する一態様について説明する。【０２７９】
図２２は、第８の実施形態のＯＦＤＭＡシステムの構成例を示すブロック図である。図２２に示すＯＦＤＭＡシステムは、通信制御装置１００と通信端末装置５００とから構成され、図１の構成に加え、通信端末装置５００において、受信品質情報生成部２６０に替えてＭＣＳ情報生成部５１０が追加されている。以下に、図１と異なる部分を中心に説明し、図１と同じ符号、名称を付した構成要素は、同様の機能を有するため、説明を省略する。【０２８０】
上記各実施形態では、通信制御装置のスケジューラ部１８０がＭＣＳ選択部１８２を備え、通信端末装置から通知された受信品質情報に基づいてＭＣＳを選択していた。本実施形態では、通信端末装置側にＭＣＳ選択機能を備える。【０２８１】
図２３は、ＭＣＳ情報生成部５１０の構成の一例を示すブロック図であり、図２４は、図２３とは異なるＭＣＳ情報生成部５１０の構成の一例を示すブロック図である。ＭＣＳ情報生成部５１０は、ＭＣＳ選択部５１１、選択チャネル選択部５１２、および、制御情報生成部５１３を備える。図２３と図２４では、データの流れが異なっている。【０２８２】
図２３のＭＣＳ情報生成部５１０では、ＭＣＳ選択部５１１は、受信品質測定部２５０が測定した各周波数チャネルにおける受信品質測定結果に基づいてＭＣＳを選択し、選択したＭＣＳを選択チャネル選択部５１２、制御情報生成部５１３へ通知する。ＭＣＳ選択部５１１は、すべての周波数チャネルのＭＣＳを選択することになる。選択チャネル選択部５１２は、ＭＣＳレベルが上位の周波数チャネル、すなわち高い伝送レートを期待できる周波数チャネルを選択チャネルとして選択し、選択した選択チャネルの周波数チャネル番号と受信品質測定部２５０が測定した受信品質測定結果とを制御情報生成部５１３へ通知する。制御情報生成部５１３は、選択チャネル選択部５１２が選択した選択チャネルの周波数チャネル番号と、選択チャネル選択部５１２が選択した選択チャネルのＭＣＳの情報を含む制御情報を生成する。【０２８３】
図２４のＭＣＳ情報生成部５１０では、選択チャネル選択部５１２は、受信品質測定部２５０が測定した各周波数チャネルにおける受信品質測定結果が良好なチャネルから順に選択チャネルを選択し、選択した選択チャネルの周波数チャネル番号をＭＣＳ選択部５１１へ通知するとともに、選択した選択チャネルの周波数チャネル番号と受信品質測定部２５０が測定した受信品質測定結果とを制御情報生成部５１３へ通知する。ＭＣＳ選択部５１１は、選択チャネル選択部５１２が選択チャネルとして選択した周波数チャネルのＭＣＳを選択し、選択したＭＣＳの情報を周波数チャネル番号とともに制御情報生成部５１３へ通知する。制御情報生成部５１は、選択チャネルの周波数チャネル番号と、選択チャネルのＭＣＳを含む制御情報を生成する。【０２８４】
図２５は、本実施形態のスケジューラ１８０の構成の一例を示す図である。スケジューラ１８０は、割り当て決定部１８１を備え、割り当て決定部１８１は、受信品質情報と選択チャネルのＭＣＳ情報とを入力し、受信品質情報に基づいてスケジューリングを行ない、スケジューリング結果に基づいて、通信端末装置５００から通知されたＭＣＳ情報を割り当てた周波数チャネルに対応づけて送信フレーム生成部１１０およびマッピング部１２０へ通知する。【０２８５】
このように、本実施形態によれば、通信端末装置は、ＭＣＳを選択するとともに、ＭＣＳ情報に基づいて選択チャネルを選択することができる。これにより、通信端末装置側でＭＣＳを指定することができる。【０２８６】
（第９の実施形態）
本実施形態では、通信制御装置が各通信端末装置に対して通知するＭＣＳ情報を、各通信端末装置が割り当て測定結果として用いて、選択チャネルを選択する一態様を説明する。一般的に、適応変調方式を導入したＯＦＤＭＡの場合、通信制御装置は各周波数チャネルにおける割り当て情報と、各周波数チャネルの各通信端末装置に対するＭＣＳを通信端末装置に通知し、通信端末装置はＦＦＴ処理の後に、スケジューリング情報に基づいて自己宛のデータシンボルを取り出し、通知されたＭＣＳ情報に基づいて復調および復号処理を行なう。このようなシステムの場合、各周波数チャネルの各通信端末装置へのＭＣＳ情報をすべての通信端末装置が復号できるようにすることにより、第２の実施形態で説明したような、通信制御装置から通信端末装置へ全周波数チャネルの受信品質情報（割り当て測定結果）の通知に近い効果を得ることができる。本実施形態では、図２２と図２３に示す構成を用いて実現することができる。【０２８７】
各通信端末装置５００において、受信品質測定部２５０は、各周波数チャネルにおける受信品質を測定する。ＭＣＳ選択部５１１は、各周波数チャネルの受信品質測定結果から、所要品質を満たすＭＣＳレベルを選択（算出）する。選択チャネル選択部５１２は、ＭＣＳ選択部５１１が選択したＭＣＳレベルと通信制御装置１００から通知された全チャネルのＭＣＳレベルを比較し、測定値（自己の受信品質測定結果）から得たＭＣＳレベルが、通信制御装置１００から通知されたＭＣＳレベルよりも良好であるチャネルを選択する。このとき、測定値から得たＭＣＳレベルと通信制御装置１００から通知された全チャネルのＭＣＳレベルを比較する方法としては、第２の実施形態の図１４で説明した相対受信品質の演算と同様に行なう。例えば、ＭＣＳの品質の精度によりＭＣＳレベルを設定し、各ＭＣＳレベルに対応した数値を予め設定しておき、測定値から得たＭＣＳレベルに対応する数値から、通信制御装置から通知された全チャネルのＭＣＳレベルに対応する値を引いた値が、大きいチャネルから順次選択する。あるいは、測定値から得たＭＣＳレベルに対応する数値を、通信制御装置から通知された全チャネルのＭＣＳレベルに対応する値で割った値が、大きいチャネルから順次選択する。【０２８８】
選択チャネルを選択した後、通信端末装置は通信制御装置に選択チャネルを示す情報、および選択チャネルにおけるＭＣＳレベルを示す情報を含む制御情報を送る。【０２８９】
このように、本実施形態では、ＭＣＳ情報を用いて選択チャネルを選択することが可能になる。通信端末装置は、通信制御装置から通知されるＭＣＳ情報を用いて選択チャネルを選択することができる。これにより、下りの制御情報を抑制することができる。【０２９０】
（第１０の実施形態）
第１０の実施形態では、一送信フレーム内に複数のユーザが時間多重されるシステムにおけるスケジューリングの一態様を説明する。図２６は、本実施形態の一送信フレームの一例を示す図である。本実施形態では、便宜上、図２６に示すように、第１の実施形態における一送信フレーム内の１チャネルを時間方向に分割したものをサブチャネルと呼び、各サブチャネルに異なる送信データを割り当てることとする。【０２９１】
一送信フレーム内に多重されるユーザ数が制限されているシステムにおいて、第１の実施形態の通信制御装置におけるチャネルの割り当てと同様に、チャネル毎に受信品質が良好な通信端末装置を送信先とする送信データを選択する。その際、選択したチャネルを複数のサブチャネルに分割するチャネルの場合、分割するチャネルにおける受信品質が良好な通信端末装置から多重可能な通信端末装置数分を選択し、それぞれの通信端末装置を送信先とする送信データにサブチャネルを割り当てる。【０２９２】
あるいは、一送信フレーム内に複数の通信端末装置を多重することが許されているシステムにおいて、まず、通信端末装置から通知された選択チャネルを第１の実施形態と同様の方法で割り当てた後、どの通信端末装置からも選択チャネルとして通知されなかったチャネルを複数のサブチャネルに分割して送信データを割り当てる。その際、受信品質の平均値が通知されていれば、受信品質の平均値が良好な通信端末装置を送信先とする送信データから順にサブチャネルに割り当てる。【０２９３】
または、どの通信端末装置からも選択チャネルとして通知されなかったチャネルを複数まとめたものを複数のサブチャネルに分割して、受信品質の劣悪な通信端末装置を送信先とする送信データに割り当ててもよい。これにより、受信品質が劣悪であっても周波数ダイバーシチ効果により伝送品質を改善することができる。【０２９４】
チャネルの分割の方法としては、サブチャネルが均一のシンボル数となるように分割してもよいし、受信品質の平均値が良好な通信端末装置により多くのシンボルを含むサブチャネルを割り当てるように、サブチャネルの容量を可変としてもよい。【０２９５】
このように、本実施形態では、一つのチャネルを複数の通信端末装置で利用することにより周波数ダイバーシチ効果を得られることができる。これにより、伝送品質を改善することができる。【０２９６】
（第１１の実施形態）
第１１の実施形態では、通信制御装置が通信端末装置へ選択可能チャネル数を通知するのではなく、予め取り決めた数を用いる場合、あるいは、通信端末装置側が選択可能チャネル数を決定する一態様について説明する。【０２９７】
上記各実施形態では、選択可能チャネル数を通信制御装置が決定し、予め（あるいは周期的に、あるいは選択可能チャネル数を変更する際に）通信端末装置に通知する場合について説明した。しかし、必ずしも通信制御装置が選択可能チャネル数を通知する必要はない。通信端末装置は、予め設定された値を選択可能チャネル数として用いることもできる。通信端末装置は、一例として、次のような方法で選択可能チャネル数を決定することができる。【０２９８】
例えば、選択可能チャネル数は、システムあるいは通信端末装置性能により、予め取り決められている固定数としてもよい。または、システムにおいて、データのＱｏＳ（Ｑｏｓの各レベル）、に対して選択可能チャネル数が予め対応付けられたテーブルが設定され、通信端末装置が要求するデータのＱｏＳに基づいて選択可能チャネル数を決定することもできる。データのＱｏＳとしては、例えば、要求する送信データの優先度が含まれる。【０２９９】
あるいは、通信端末装置は、予め受信品質測定結果の基準となる閾値（測定結果閾値）を保持し、受信品質測定部２５０が測定した受信品質測定結果のうち、測定結果閾値を超えるチャネルを選択チャネルとして選択してもよい。【０３００】
さらに、予め設定された選択可能チャネル数と、測定結果閾値とを用いることもできる。例えば、通信端末装置は、選択可能チャネル数に達しなくとも測定結果閾値を超える周波数チャネルのみを選択する、あるいは、測定結果閾値に達する周波数チャネル数が選択可能チャネル数に達しなくとも、選択可能チャネル数分の周波数チャネルを選択するという手法を用いてもよい。また、通信端末装置は、測定結果閾値を超える周波数チャネルを、選択可能チャネル数以下選択するという手法を用いてもよい。【０３０１】
このように、本実施形態では、受信品質が良好な周波数チャネルのみを選択チャネルとして選択することができる。また、過剰な数の周波数チャネルを選択チャネルとして選択することが防止できる。これにより、より効率的な受信品質情報の通知が可能となる。【０３０２】
なお、上記各実施形態において、通信制御装置が選択可能チャネル数を決定して通知する場合についても、本実施形態と同様に閾値を用いて、選択可能チャネル数を決定することが可能である。【０３０３】
（第１２の実施形態）
第１２の実施形態では、通信端末装置が選択可能チャネル数を変更する一態様について説明する。【０３０４】
第１１の実施形態では、選択可能チャネル数が既知である、あるいは、固定数である場合について説明した。通信開始時、通信端末装置は第１１の実施形態で説明したような選択可能チャネル数の範囲内でチャネルを要求する。【０３０５】
図２７は、第１２の実施形態のＯＦＤＭＡシステムの構成例を示すブロック図である。図２７に示すＯＦＤＭＡシステムは、通信制御装置１００と通信端末装置６００とから構成され、図１の構成に加え、通信端末装置６００へ統計処理部６１０が追加されている。以下に、図１と異なる部分を中心に説明し、図１と同じ符号、名称を付した構成要素は、同様の機能を有するため、説明を省略する。【０３０６】
統計処理部６１０は、図１９に示す通信制御装置４００が備える統計処理部４１０と同様の構成を備え、同様の処理を行なうため、具体的な説明を省略する。本実施形態では、統計処理部６１０は、次の構成要素から各情報を受け取る。判定部２４０は、判定したスケジューリング制御情報を統計処理部６１０（割合演算部）へ通知する。受信品質情報生成部２６０は、選択チャネル番号（選択チャネル選択部２６１が選択した選択チャネルを識別する周波数チャネル番号）を統計処理部６１０（割合演算部）へ通知する。統計処理部６１０は、通知された情報に基づいて、図２０と同様の処理を行なって選択可能チャネル数を決定し、決定した選択可能チャネル数を受信品質情報生成部２６０の選択チャネル選択部２６１へ通知する。【０３０７】
このように、本実施形態では、スケジューリングに用いる通信端末装置から通信制御装置へ通知する受信品質情報量を適応的に制御することができる。受信品質情報が不足している場合は増加させ、過剰である場合は減少するように変更することができる。通信制御装置でのスケジューリングに適切な受信品質情報量に近づけることができる。【０３０８】
また、第１１の実施形態で言及した測定結果閾値を変更することにより要求するチャネル数を変更してもよい。統計処理部６１０は、算出した演算結果と第１の閾値Ｄ１（図２０で用いた演算結果閾値）とを比較し、演算結果が第１の閾値Ｄ１より小さければ測定結果閾値を下げるように変更する。また、統計処理部６１０は、算出した演算結果と第２の閾値Ｄ２（図２０で用いた演算結果閾値）とを比較し、演算結果が第２の閾値Ｄ２より大きければ測定結果閾値を上げるように変更する。選択チャネル選択部２６１は、統計処理部６１０が変更した測定結果閾値に基づいて選択チャネルを選択する。測定結果閾値を下げることにより受信品質が閾値を超える周波数チャネル数が増加し、測定結果閾値を上げることにより受信品質が閾値を超える周波数チャネル数が減少するため、通信端末装置並びに通信制御装置は、選択可能チャネル数を変更する場合と同様の効果を得ることができる。【０３０９】
さらに、予め設定された選択可能チャネル数と、測定結果閾値とを用いることもできる。例えば、通信端末装置は、選択可能チャネル数に達しなくとも測定結果閾値を超える周波数チャネルのみを選択する、あるいは、測定結果閾値に達する周波数チャネル数が選択可能チャネル数に達しなくとも、選択可能チャネル数分の周波数チャネルを選択するという手法を用いてもよい。また、通信端末装置は、測定結果閾値を超える周波数チャネルを、選択可能チャネル数以下選択するという手法を用いてもよい。通信制御装置は、送信要求するデータの優先度に基づいて選択可能チャネル数を決定しても良い。なお、通信制御装置における選択可能チャネル数の制御については、上記第６の実施形態で説明した。【０３１０】
このように、本実施形態では、受信品質が良好な周波数チャネルのみを選択チャネルとして選択することができる。また、過剰な数の周波数チャネルを選択チャネルとして選択することが防止できる。これにより、より効率的な受信品質情報の通知が可能となる。【０３１１】
（第１３の実施形態）
上記各実施形態では、通信端末装置が選択チャネルを選択し、選択チャネルを識別する選択チャネル情報と選択チャネルにおける受信品質測定結果を示す情報とを含む受信品質情報を通信制御装置に報告する際、受信品質測定結果を示す情報として受信品質測定結果そのものを示す情報を報告する場合について説明した。本実施形態では、選択チャネル測定結果を示す情報として、少なくとも一つの選択チャネルの受信品質測定結果（差分基準値）そのものを示す情報と複数のチャネルの受信品質測定結果と差分基準値との差分情報を示す情報とを含む受信品質情報を報告する場合について説明する。本実施形態の通信制御装置と通信端末装置は、上記各実施形態で説明した各構成用いることができる。【０３１２】
例えば、第１の実施形態と同様に図７に示す周波数チャネルを選択チャネルとして選択する場合、通信端末装置（受信品質情報生成部の制御情報生成部、ＭＣＳ情報生成部の制御情報生成部）は、周波数チャネル番号であるＣｈ２とＣｈ５を識別する選択チャネル情報と、Ｃｈ２の受信品質測定結果そのものであるＣＩＮＲレベル２と示す情報と、Ｃｈ２とＣｈ５の受信品質測定結果の差分である６（＝８−２）を示す情報とを通信制御装置に報告する。通信制御装置（スケジューラ部の割り当て決定部）は、周波数チャネル番号であるＣｈ２とＣｈ５を識別する選択チャネル情報と、Ｃｈ２の受信品質測定結果そのものであるＣＩＮＲレベル２と示す情報と、Ｃｈ２とＣｈ５の受信品質測定結果の差分である６（＝８−２）を示す情報とを受信した後、Ｃｈ２とＣｈ５の受信品質測定結果の差分である６と、Ｃｈ２の選択チャネル測定結果そのものである２とから、Ｃｈ５の受信品質測定結果そのものである８を復元する。【０３１３】
これにより、通信端末装置と通信制御装置とが、同じ情報を共有することができる。また、全帯域の中から一部の周波数チャネルを選択する場合、選択された周波数チャネル同士の受信品質測定結果の差分の分布、すなわち選択された周波数チャネル同士の選択チャネル測定結果のばらつきは、全帯域におけるチャネル測定結果のばらつきに比べて小さくなる。そのため、複数の受信品質測定結果の差分情報を少ないビット数（情報量）で表現することができる。【０３１４】
なお、本実施形態では、Ｃｈ２の受信品質測定結果そのものと、Ｃｈ２とＣｈ５の受信品質測定結果の差分とを用いて受信品質情報を生成する場合について説明したが、受信品質測定結果そのものを報告する選択チャネルと、差分を報告する選択チャネルの組合せはこれに限るものではない。例えば、Ｃｈ５の受信品質測定結果そのものと、Ｃｈ５とＣｈ２の選択チャネル測定結果の差分とを用いて受信品質情報を生成するなど、通信端末装置が少なくとも一つの選択チャネル測定結果そのものを示す情報と複数の受信品質測定結果の差分情報を示す情報とを含む受信品質情報を報告し、通信制御装置が各選択チャネルにおける受信品質測定結果を復元することができればよい。【０３１５】
また、上記では、受信品質測定結果そのものを通知する選択チャネルを基準とするチャネル（基準チャネル）として選択し、選択した基準とするチャネルの受信品質測定結果（基準測定結果、差分基準値）と他の選択チャネルの受信品質測定結果との差分（差分値）を他の選択チャネルの受信品質結果を通知する情報として通知したが、受信品質測定結果を平均した平均測定結果（平均ＣＩＮＲ）を算出している場合には、基準とするチャネルの受信品質測定結果の替わりに平均測定結果を差分基準値とすることもできる。この場合、各選択チャネルについて受信品質測定結果と平均測定結果との差分を算出して受信品質情報を作成する。なお、差分を算出するときに基準とする差分基準値（基準測定結果）は、必ずしも通信端末装置から通信制御装置へ通知する必要はない。予めシステム内で所定の値を決めておいてもよいし、最初に差分基準値を通信制御装置と通信端末装置とのいずれかから通信相手先へ通知し、その後は通知した差分基準値を用いて差分を算出してもよい。例えば、任意のチャネルの受信品質測定結果を差分基準値として一度通知した後、前記任意のチャネルについても、次に受信品質測定結果を通知する場合には、通知した差分基準値との差分を通知してもよい。【０３１６】
以上のように、本実施形態では、通信端末装置において、受信品質情報生成部は、前記選択チャネルにおける受信品質測定結果と受信品質測定結果の基準となる差分基準値との差分値を算出し、前記選択チャネル情報と、前記差分値とを含む受信品質情報を生成すること、一方、通信制御装置において、受信部は、前記選択チャネルにおける受信品質測定結果と受信品質測定結果の基準となる差分基準値との差分値を算出し、前記選択チャネル情報と、前記差分値とを含む受信品質情報を受信し、スケジューラ部は、前記差分値とに基づいて、前記選択チャネルの受信品質測定結果を算出し、算出した受信品質測定結果に基づいて、前記送信データを割り当てるチャネルを決定することを説明した。【０３１７】
このように、通信端末装置は選択チャネルを選択し、選択チャネルにおける受信品質測定結果を示す情報として、少なくとも一つの基準とする受信品質測定結果（受信品質測定結果そのもの）を示す情報と各選択チャネルの受信品質測定結果の差分情報を示す情報とを含む受信品質情報を報告し、通信制御装置は通知された受信品質情報に基づいて、各選択チャネルにおける受信品質測定結果を復元する構成をとることにより、より効率的な受信品質情報の通知が可能となる。【０３１８】
なお、上記各実施形態では、通信端末装置が選択チャネルを所定の条件に基づいて選択する例を説明したが、複数のチャネルのうち、予め決められた範囲のチャネルを選択チャネルとする場合も、複数のチャネルから一部分の周波数チャネルを選択チャネルとして選択するという概念に含まれる。例えば、通信制御装置から各通信端末装置へ予め受信品質情報を報告するチャネルが特定されている場合であってもよい。この場合、通信端末装置は、チャネル番号を判断することによって選択チャネルを選択することができる。選択チャネルの選択、選択可能チャネル数の設定においては、前記所定の条件が異なる場合であっても、各実施形態が適用できる場合があり得る。このように、複数のチャネルから一部分のチャネルを選択チャネルとして選択し、選択した受信品質情報を通知する場合であれば、上記各実施形態を適用することが可能である。
【図面の簡単な説明】
【０３１９】
【図１】本発明に係る第１の実施形態のＯＦＤＭＡシステムの構成例を示すブロック図である。
【図２】第１の実施形態の受信品質情報生成部２５０の構成の一例を示すブロック図である。
【図３】複数のチャネルから選択チャネルを選択する手順の一例を示す図である。
【図４】第１の実施形態のスケジューラ部の構成の一例を示すブロック図である。
【図５】第１の実施形態の割り当て決定部の動作の一例を示すフローチャートである。
【図６】第１の実施形態において基地局と移動局との間のデータ送受信の一例を示すシーケンス図である。
【図７】移動局Ａが基地局に通知する受信品質情報の一例を示す図である。
【図８】基地局におけるスケジューリングの過程の一例を示す図であり、（ａ）は各移動局から通知された選択チャネルにおけるＣＩＮＲレベル分布の一例を示す図であり、（ｂ）は複数の移動局が選択チャネルとして選択した周波数チャネルの割り当てを実施した結果の一例を（ａ）へ追加した図であり、（ｃ）は平均ＣＩＮＲが高い移動局を送信先とするデータから順次割り当てた例を（ｂ）へ追加した図である。
【図９】移動局Ｄが選択チャネルを選択する過程の一例を示す図であり、（ａ）はＣＩＮＲ測定値とＣＩＮＲレベルとを示す図であり、（ｂ）は選択した選択チャネルのＣＩＮＲレベル（選択ＣＩＮＲレベル）と、平均ＣＩＮＲレベルの値を示す図であり、（ｃ）は上り受信品質情報の一例を示す図である。
【図１０】第２の実施形態の受信品質情報生成部の構成の一例を示すブロック図である。
【図１１】第２の実施形態のスケジューラ部の構成の一例を示すブロック図である。
【図１２】割り当てられた周波数チャネルにおけるＣＩＮＲ情報（割り当てＣＩＮＲ情報）の内容の一例を示す図である。
【図１３】移動局Ｅが割り当てＣＩＮＲ情報を用いて選択チャネルを選択する過程の一例を図であり、（ａ）はＣＩＮＲ測定値とＣＩＮＲレベルとを示す図であり、（ｂ）は複数の移動局に割り当てられた周波数チャネルにおけるＣＩＮＲ情報の一例を示す図であり、（ｃ）は前回割り当てられた周波数チャネルのＣＩＮＲ差の値を示す図であり、（ｄ）は前回割り当てられなかった周波数チャネルのＣＩＮＲ差の値を示す図である。
【図１４】第２の実施の形態の選択チャネルを選択する動作の一例を示すフローチャートである。
【図１５】第３の実施形態のＯＦＤＭＡシステムの構成例を示すブロック図である。
【図１６】移動局Ｆが選択チャネルと割り当て拒否チャネルを選択する過程の一例を図であり、（ａ）は、ＣＩＮＲ測定値とＣＩＮＲレベルとを示す図であり、（ｂ）は選択チャネルと割り当て拒否チャネルとを示す図であり、（ｃ）は受信品質情報の一例を示す図である。
【図１７】第５の実施形態のスケジューリングの一例を示すフローチャートである。
【図１８】第７の実施形態のＯＦＤＭＡシステムの構成例を示すブロック図である。
【図１９】第７の実施形態の統計処理部の構成の一例を示すブロック図である。
【図２０】統計処理部の動作の一例を示すフローチャートである。
【図２１】第７の実施形態において基地局と移動局との間のデータ送受信の一例を示すシーケンス図である。
【図２２】第８の実施形態のＯＦＤＭＡシステムの構成例を示すブロック図である。
【図２３】第８の実施形態のＭＣＳ情報生成部の構成の一例を示すブロック図である。
【図２４】第８の実施形態の図２３とは異なるＭＣＳ情報生成部の構成の一例を示すブロック図である。
【図２５】第８の実施形態のスケジューラ部の構成の一例を示す図である。
【図２６】第１０の実施形態の一送信フレームの一例を示す図である。
【図２７】第１２の実施形態のＯＦＤＭＡシステムの構成例を示すブロック図である。
【符号の説明】
【０３２０】
１００、３００、４００  通信制御装置
１１０  送信フレーム生成部
１２０  マッピング部
１３０  ＩＦＦＴ（逆高速フーリエ変換）部
１４０  送信部
１５０  アンテナ
１６０  受信部
１７０  判定部
１８０  スケジューラ部
１８１  割り当て決定部
１８２、５１１  ＭＣＳ選択部
２００、５００、６００  通信端末装置
２１０  アンテナ
２２０  受信部
２３０  ＦＦＴ（高速フーリエ変換）部
２４０  判定部
２５０  受信品質測定部
２６０  受信品質情報生成部
２６１、５１２  選択チャネル選択部
２６２、５１３  制御情報生成部
２６３  受信品質差算出部
２７０  送信フレーム生成部
２８０  マッピング部
２９０  送信部
３１０  割り当て変更候補チャネル選択部
４１０、６１０  統計処理部
４１１  割合演算部
４１２  選択可能チャネル数制御部
４１３  閾値記憶部
５１０  ＭＣＳ情報生成部
【図１】
2007034860.tif 000002
【図２】
2007034860.tif 000003
【図３】
2007034860.tif 000004
【図４】
2007034860.tif 000005
【図５】
2007034860.tif 000006
【図６】
2007034860.tif 000007
【図７】
2007034860.tif 000008
【図８】
2007034860.tif 000009
【図９】
2007034860.tif 000010
【図１０】
2007034860.tif 000011
【図１１】
2007034860.tif 000012
【図１２】
2007034860.tif 000013
【図１３】
2007034860.tif 000014
【図１４】
2007034860.tif 000015
【図１５】
2007034860.tif 000016
【図１６】
2007034860.tif 000017
【図１７】
2007034860.tif 000018
【図１８】
2007034860.tif 000019
【図１９】
2007034860.tif 000020
【図２０】
2007034860.tif 000021
【図２１】
2007034860.tif 000022
【図２２】
2007034860.tif 000023
【図２３】
2007034860.tif 000024
【図２４】
2007034860.tif 000025
【図２５】
2007034860.tif 000026
【図２６】
2007034860.tif 000027
【図２７】
2007034860.tif 000028
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
複数のチャネルを用いて通信制御装置と通信を行なう通信端末装置であって、
制御信号を前記通信制御装置から受信する受信部と、
各チャネルの受信品質を測定する受信品質測定部と、
前記受信した制御信号と測定した受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備え、
前記受信品質情報生成部は、
前記受信品質測定結果が良好な順番に前記選択チャネルを選択する選択チャネル選択部と、
前記選択チャネル情報と、前記選択チャネルにおける受信品質測定結果を示す選択チャネル測定結果とを含む受信品質情報を生成する制御情報生成部とを備えることを特徴とする通信端末装置。
【請求項２】
複数のチャネルを用いて通信制御装置と通信を行なう通信端末装置であって、
制御信号を前記通信制御装置から受信する受信部と、
各チャネルの受信品質を測定する受信品質測定部と、
前記受信した制御信号と測定した受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備え、
前記受信品質情報生成部は、
前記受信品質測定結果が所定の閾値より大きいチャネルを前記選択チャネルとして選択する選択チャネル選択部と、
前記選択チャネル情報と、前記選択した選択チャネルにおける受信品質測定結果とを受信品質情報として生成する制御情報生成部とを備えることを特徴とする通信端末装置。
【請求項３】
（削除）
【請求項４】
（削除）
【請求項５】
複数のチャネルを用いて通信制御装置と通信を行なう通信端末装置であって、
前記複数のチャネルから一部分のチャネルを選択チャネルとして選択するチャネルの数を指定する選択可能チャネル数を前記通信制御装置から受信する受信部と、
各チャネルの受信品質を測定する受信品質測定部と、
前記複数のチャネルから前記選択可能チャネル数に指定された数の選択チャネルを選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項６】
前記受信品質情報生成部は、前記受信品質測定結果に基づいて、前記選択チャネルの数を変更することを特徴とする請求項５記載の通信端末装置。
【請求項７】
前記受信品質情報生成部は、当該通信端末装置に割り当てられたチャネル数に基づいて、前記選択チャネルの数を変更することを特徴とする請求項５または請求項６記載の通信端末装置。
【請求項８】
前記受信品質情報生成部は、送信要求するデータの優先度に基づいて、前記選択チャネルの数を変更すること特徴とする請求項５から請求項７いずれかに記載の通信端末装置。
【請求項９】
複数のチャネルを用いて通信制御装置と通信を行なう通信端末装置であって、
各通信端末装置が割り当てられたチャネルの受信品質を測定した、チャネル毎の受信品質測定結果を割り当て測定結果として受信する受信部と、
各チャネルの受信品質を測定する受信品質測定部と、
前記受信品質測定部が測定した受信品質測定結果と前記割り当て測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１０】
前記受信品質情報生成部は、各チャネルについて、前記測定した受信品質測定結果と前記割り当て測定結果とを比較して受信品質差を算出する受信品質差算出部と、算出した受信品質差が所定の閾値より大きいチャネルを前記選択チャネルとして選択する選択チャネル選択部を備えることを特徴とする請求項９記載の通信端末装置。
【請求項１１】
前記受信部は、前記通信制御装置が受信品質情報に基づいて割り当て変更候補となるチャネルを識別する割り当て変更候補チャネル番号と、前記割り当て変更候補チャネルにおける割り当て測定結果とを受信し、
前記受信品質情報生成部は、自己が測定した受信品質測定結果と、前記割り当て変更候補チャネルにおける前記割り当て測定結果とを比較し、比較結果に基づいて前記選択チャネルを選択することを特徴とする請求項９記載の通信端末装置。
【請求項１２】
複数のチャネルを用いて通信制御装置と通信を行なう通信端末装置であって、
複数のチャネルそれぞれについて、変調方式と符号化率との少なくとも一方を特定する変調パラメータを特定する変調パラメータ情報を受信する受信部と、
各チャネルの受信品質を測定する受信品質測定部と、
前記受信した変調パラメータ情報と前記受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１３】
複数のチャネルを用いて通信制御装置と通信を行なう通信端末装置であって、
各チャネルの受信品質を測定する受信品質測定部と、
前記受信品質測定結果に基づいて、前記複数のチャネルから一部分のチャネルを選択チャネルとして選択するチャネルの数を指定する選択可能チャネル数を決定し、決定した選択可能チャネル数の選択チャネルを前記受信品質情報に基づいて前記複数のチャネルから選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１４】
複数のチャネルを用いて通信制御装置と通信を行なう通信端末装置であって、
各チャネルの受信品質を測定する受信品質測定部と、
自己に割り当てられたチャネル数に基づいて、前記複数のチャネルから一部分のチャネルを選択チャネルとして選択するチャネルの数を指定する選択可能チャネル数を決定し、決定した選択可能チャネル数の選択チャネルを前記受信品質情報に基づいて前記複数のチャネルから選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１５】
複数のチャネルを用いて通信制御装置と通信を行なう通信端末装置であって、
各チャネルの受信品質を測定する受信品質測定部と、
送信要求するデータの優先度に基づいて、前記複数のチャネルから一部分のチャネルを選択チャネルとして選択するチャネルの数を指定する選択可能チャネル数を決定し、決定した選択可能チャネル数の選択チャネルを前記受信品質情報に基づいて前記複数のチャネルから選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する送信部と、を備えることを特徴とする通信端末装置。
【請求項１６】
前記受信品質情報生成部は、複数のチャネルの受信品質測定結果を平均した平均測定結果を算出し、算出した平均測定結果をさらに含む受信品質情報を生成することを特徴とする請求項１から請求項１５のいずれかに記載の通信端末装置。
【請求項１７】
前記受信品質情報生成部は、平均測定結果として、選択チャネルとして選択されなかったチャネルにおける受信品質測定結果を平均した平均値、または、複数のチャネルすべての受信品質測定結果を平均した平均値とのいずれかを含む受信品質情報を生成することを特徴とする請求項１から請求項１５のいずれかに記載の通信端末装置。
【請求項１８】
前記受信品質情報生成部は、前記受信品質測定結果に基づいて、前記複数のチャネルから受信品質の悪い一部分のチャネルを割り当て拒否チャネルとして選択し、選択した割り当て拒否チャネルを識別する割り当て拒否チャネル情報を受信品質情報へ含めることを特徴とする請求項１から請求項１５のいずれかに記載の通信端末装置。
【請求項１９】
複数のチャネルを用いて通信端末装置と通信を行なう通信制御装置であって、
前記複数のチャネルから一部分のチャネルを選択した選択チャネルを識別する選択チャネル情報と選択した選択チャネルの受信品質を通知する受信品質情報を前記通信端末装置から受信する受信部と、
前記受信品質情報に基づいて、前記通信端末装置を送信先とする送信データを割り当てるチャネルを決定するスケジューラ部と、
前記通信端末装置を送信先とする送信データを送信する送信部と、を備え、
前記受信部は、複数の通信端末装置それぞれから、前記選択チャネル情報と、前記選択チャネルにおける受信品質測定結果を示す選択チャネル測定結果とを含む受信品質情報を受信し、
前記スケジューラ部は、複数の通信端末装置それぞれから送信された選択チャネル情報と選択チャネル測定結果に基づいて、チャネル毎に受信品質測定結果が良好な通信端末装置を選択し、前記通信端末装置を送信先とする送信データを割り当てるチャネルを決定し、
前記送信部は、チャネル毎に選択した通信端末装置を送信先とする送信データを送信することを特徴とする通信制御装置。
【請求項２０】
（削除）
【請求項２１】
複数のチャネルを用いて通信端末装置と通信を行なう通信制御装置であって、
前記通信端末装置が前記複数のチャネルから一部分のチャネルを選択チャネルとして選択するチャネルの数を指定する選択可能チャネル数を前記通信端末装置へ送信する送信部と、
前記選択可能チャネル数に基づいて、前記複数のチャネルから一部分のチャネルを選択した選択チャネルを識別する選択チャネル情報と選択した選択チャネルの受信品質を通知する受信品質情報を前記通信端末装置から受信する受信部と、
前記受信品質情報に基づいて、前記通信端末装置を送信先とする送信データを割り当てるチャネルを決定するスケジューラ部と、を備え、
前記送信部は、チャネル毎に選択した通信端末装置を送信先とする送信データを送信することを特徴とする通信制御装置。
【請求項２２】
複数のチャネルを用いて通信端末装置と通信を行なう通信制御装置であって、
前記複数のチャネルから一部分のチャネルを選択した選択チャネルを識別する選択チャネル情報と選択した選択チャネルの受信品質を通知する受信品質情報を前記通信端末装置から受信する受信部と、
前記受信品質情報に基づいて、前記通信端末装置を送信先とする送信データを割り当てるチャネルを決定するスケジューラ部と、
前記通信端末装置を送信先とする送信データを送信する送信部と、を備え、
前記スケジューラ部は、前記受信品質情報に基づいて各チャネルへ通信端末装置を割り当て、複数のチャネルそれぞれについて、各チャネルへ割り当てた通信端末装置が測定した受信品質測定結果を用いて割り当て測定結果を生成し、
前記送信部は、生成した割り当て測定結果を各通信端末装置へ送信することを特徴とする通信制御装置。
【請求項２３】
前記スケジューラ部が生成した割り当て測定結果に基づいて、所定の条件より低いチャネルを割り当て変更候補チャネルとして選択する割り当て変更候補チャネル選択部を、更に備え、
前記送信部は、前記割り当て変更候補チャネルを識別する割り当て変更候補チャネル情報と、前記割り当て変更候補チャネルにおける前記割り当て測定結果とを各通信端末装置へ送信することを特徴とする請求項２２記載の通信制御装置。
【請求項２４】
複数のチャネルを用いて通信端末装置と通信を行なう通信制御装置であって、
送信データの優先度を判定し、判定した優先度に応じて送信データを送信先とする通信端末装置へ割り当てる選択可能チャネル数を決定するスケジューラ部と、
前記決定した選択可能チャネル数を各通信端末装置へ送信する送信部と、
前記選択可能チャネル数に基づいて、前記複数のチャネルから一部分のチャネルを選択した選択チャネルを識別する選択チャネル情報と選択した選択チャネルの受信品質を通知する受信品質情報を前記通信端末装置から受信する受信部と、を備え、
前記スケジューラ部は、前記受信品質情報に基づいて、前記通信端末装置を送信先とする送信データを割り当てるチャネルを決定し、
前記送信部は、チャネル毎に選択した通信端末装置を送信先とする送信データを送信することを特徴とする通信制御装置。
【請求項２５】
前記スケジューラ部によって各通信端末装置へ割り当てられたチャネルの数と、各通信端末装置から通知された選択チャネルの数とに基づいて、各通信端末装置の選択可能チャネル数を更新する統計処理部を、さらに備え、
前記送信部は、更新された選択可能チャネル数を各通信端末装置へ送信することを特徴とする請求項２４記載の通信制御装置。
【請求項２６】
複数のチャネルを用いて通信端末装置と通信を行なう通信制御装置であって、
前記複数のチャネルから一部分のチャネルを選択した選択チャネルを識別する選択チャネル情報と選択した選択チャネルの受信品質を通知する受信品質情報を前記通信端末装置から受信する受信部と、
前記受信品質情報に基づいて、前記通信端末装置を送信先とする送信データを割り当てるチャネルを決定するスケジューラ部と、
前記通信端末装置を送信先とする送信データを送信する送信部と、を備え、
前記受信部は、複数の通信端末装置それぞれから、前記選択チャネル情報と、前記選択チャネルにおける受信品質測定結果と、各通信端末装置の複数の受信品質測定結果を平均した平均測定結果とを含む受信品質情報を受信し、
前記スケジューラ部は、前記平均測定結果に基づいて、各通信端末装置が選択チャネルに選択しなかったチャネルへ各通信端末装置を割り当てることを特徴とする通信制御装置。
【請求項２７】
前記受信部は、複数の通信端末装置それぞれから、前記受信品質情報を受信し、
前記スケジューラ部は、各通信端末装置が選択チャネルに選択しなかったチャネルへ前回割り当てた通信端末装置を割り当てることを特徴とする請求項１９から請求項２５のいずれかに記載の通信制御装置。
【請求項２８】
前記受信部は、複数の通信端末装置それぞれから、前記受信品質情報を受信し、
前記スケジューラ部は、ラウンドロビン法を用いて、各通信端末装置が選択チャネルに選択しなかったチャネルへ各通信端末装置を割り当てることを特徴とする請求項１９から請求項２５のいずれかに記載の通信制御装置。
【請求項２９】
前記通信端末装置から受信した受信品質情報に基づいて、変調方式と符号化率と少なくとも一方を特定する変調パラメータを、複数の周波数チャネルそれぞれへ選択する変調パラメータ選択部を、更に備えることを特徴とする請求項１９から請求項２５のいずれかに記載の通信制御装置。
【請求項３０】
前記スケジューラ部は、前記平均測定結果に基づいて、各通信端末装置が選択チャネルに選択しなかったチャネルへ各通信端末装置を割り当て、
前記平均測定結果に基づいて、各通信端末装置が選択チャネルに選択しなかったチャネルへ変調パラメータを選択する変調パラメータ選択部を、更に備えることを特徴とする請求項２６記載の通信制御装置。
【請求項３１】
前記受信部は、通信端末装置が割り当てを拒否する割り当て拒否チャネルを識別する割当拒否チャネル情報を含む受信品質情報を受信し、
前記スケジューラ部は、前記割り当て拒否チャネル情報を通知した通信端末装置を前記割り当て拒否チャネル情報が示すチャネルへ割り当てないことを特徴とする請求項１９から請求項２５のいずれかに記載の通信制御装置。
【請求項３２】
前記スケジューラ部は、通信端末装置から選択チャネルとして選択されなかったチャネルを複数のサブチャネルに分割し、分割した複数のサブチャネルへ複数の通信端末装置を割り当てることを特徴とする請求項１９から請求項２５のいずれかに記載の通信制御装置。
【請求項３３】
複数のチャネルを用いて通信制御装置と通信端末装置との間で通信を行なう通信システムであって、
前記通信端末装置は、
制御信号を前記通信制御装置から受信する端末側受信部と、
各チャネルの受信品質を測定する受信品質測定部と、
前記受信した制御信号と測定した受信品質測定結果とに基づいて、前記複数のチャネルから一部分のチャネルを選択チャネルとして選択し、選択した選択チャネルを識別する選択チャネル情報と選択した選択チャネルにおける受信品質測定結果とを前記通信制御装置へ通知する受信品質情報を生成する受信品質情報生成部と、
生成した受信品質情報を前記通信制御装置へ送信する端末側送信部と、を備え、
前記通信制御装置は、
前記選択チャネルにおける受信品質情報を前記通信端末装置から受信する制御側受信部と、
前記受信品質情報に基づいて、前記選択チャネルから少なくとも一つのチャネルを選択するスケジューラ部と、
前記選択したチャネルへ前記通信端末装置を送信先とする送信データを割り当てて送信する制御側送信部と、を備えることを特徴とする通信システム。
【請求項３４】
複数のチャネルを用いて通信制御装置と通信を行なう通信端末装置の通信方法であって、
制御信号を前記通信制御装置から受信し、
各チャネルの受信品質を測定し、
前記受信した制御信号と測定した受信品質測定結果とに基づいて、前記複数のチャネルから一部分のチャネルを選択チャネルとして選択し、
選択した選択チャネルを識別する選択チャネル情報と選択した選択チャネルにおける受信品質測定結果とを前記通信制御装置へ通知する受信品質情報を生成し、
生成した受信品質情報を前記通信制御装置へ送信することを特徴とする通信方法。
【請求項３５】
複数のチャネルを用いて通信端末装置と通信を行なう通信制御装置の通信方法であって、
前記複数のチャネルから一部分のチャネルを選択した選択チャネルを識別する選択チャネル情報と選択した選択チャネルの受信品質を通知する受信品質情報を前記通信端末装置から受信し、
前記受信品質情報に基づいて、前記通信端末装置を送信先とする送信データを割り当てるチャネルを決定し、
選択したチャネルへ前記通信端末装置を送信先とする送信データを送信することと特徴とする通信方法。
【請求項３６】
複数のチャネルを用いて通信制御装置と通信端末装置との間で通信を行なう通信方法であって、
前記通信端末装置は、
制御信号を前記通信制御装置から受信し、
各チャネルの受信品質を測定し、
前記受信した制御信号と測定した受信品質測定結果とに基づいて、前記複数のチャネルから一部分のチャネルを選択チャネルとして選択し、
選択した選択チャネルを識別する選択チャネル情報と選択した選択チャネルにおける受信品質測定結果とを前記通信制御装置へ通知する受信品質情報を生成し、
生成した受信品質情報を前記通信制御装置へ送信し、
前記通信制御装置は、
前記選択チャネルにおける受信品質情報を前記通信端末装置から受信し、
前記受信品質情報に基づいて、前記通信端末装置を送信先とする送信データを割り当てるチャネルを決定し、
選択したチャネルへ前記通信端末装置を送信先とする送信データを送信することを特徴とする通信方法。
【国際調査報告】
2007034860.tif 000029
2007034860.tif 000030
2007034860.tif 000031
2007034860.tif 000032